(57)【要約】【課題】  被検眼の光学特性を迅速に測定する。【解決手段】  視標光束を被検眼に向けて投影する投光光学系の光路中であって、視標光束の光学特性を変化する矯正光学系と、を有し、被検眼の光学特性を自覚的に測定する自覚式測定手段を備え、被検眼の光学特性を自覚的に測定する自覚式検眼装置であって、被検眼の眼底に測定光を出射し、その反射光を受光する測定光学系を有し、被検眼の光学特性を他覚的に測定する他覚式測定手段と、自覚式測定手段によって被検眼の光学特性の自覚的な測定を開始した後、他覚式測定手段によって被検眼の光学特性を他覚的に測定して被検眼の光学特性を取得する制御手段と、制御手段によって他覚的に測定された被検眼の光学特性を、自覚測定手段によって被検眼の光学特性を自覚的に測定する際の矯正光学系の初期値として設定する初期値設定手段と、を備える。【選択図】      図１
2018038481.tif 000002
【特許請求の範囲】
【請求項１】
視標光束を被検眼に向けて投影する投光光学系の光路中であって、前記視標光束の光学特性を変化する矯正光学系と、を有し、前記被検眼の光学特性を自覚的に測定する自覚式測定手段を備え、被検眼の光学特性を自覚的に測定する自覚式検眼装置であって、
被検眼の眼底に測定光を出射し、その反射光を受光する測定光学系を有し、前記被検眼の光学特性を他覚的に測定する他覚式測定手段と、
前記自覚式測定手段によって前記被検眼の光学特性の自覚的な測定を開始した後、前記他覚式測定手段によって前記被検眼の光学特性を他覚的に測定して前記被検眼の光学特性を取得する制御手段と、
前記制御手段によって他覚的に測定された前記被検眼の光学特性を、前記自覚測定手段によって前記被検眼の光学特性を自覚的に測定する際の前記矯正光学系の初期値として設定する初期値設定手段と、
を備えることを特徴とする自覚式検眼装置。
【請求項２】
請求項１の自覚式検眼装置において、
前記初期値設定手段は、前記他覚式測定手段によって他覚的に測定された前記被検眼の光学特性を、前記他覚式測定手段による他覚的な測定を開始する前に前記自覚式測定手段によって実施されていた前記被検眼の光学特性の自覚的な測定における前記矯正光学系の初期値として設定することを特徴とする自覚式検眼装置。
【請求項３】
請求項１の自覚式検眼装置において、
前記制御手段は、前記自覚式測定手段によって前記被検眼の光学特性を自覚的に測定する第１自覚式測定を実行した後、再度、前記自覚式測定手段によって前記被検眼の光学特性を自覚的に測定する第２自覚式測定を実行する制御手段であって、前記第１自覚式測定を開始した後、前記他覚式測定手段によって前記被検眼の光学特性を他覚的に測定し、
前記初期値設定手段は、前記他覚式測定手段によって他覚的に測定された前記被検眼の光学特性を、前記第２自覚式測定の初期値として設定することを特徴とする自覚式検眼装置。
【請求項４】
請求項３の自覚式検眼装置において、
前記第１自覚式測定は、前記矯正光学系によって前記視標光束の光学特性を変化させない無矯正状態にて、被検眼の光学特性を自覚的に測定する自覚式測定であって、
前記第２自覚式測定は、前記矯正光学系によって前記視標光束の光学特性を変化させて被検眼の光学特性を自覚的に測定する自覚式測定であることを特徴とする自覚式検査装置。
【請求項５】
請求項１〜４のいずれかの自覚式検眼装置において、
前記投光光学系による前記視標光束を、前記他覚式測定手段によって前記被検眼の光学特性を他覚的に測定する際に、前記被検眼が固視するための固視標とすることを特徴とすることを特徴とする自覚式検眼装置。
【請求項６】
請求項１〜５のいずれかの自覚式検眼装置において、
前記他覚測定手段は、左右一対に設けられた右被検眼用測定光学系と左被検眼用測定光学系を有し、
前記制御手段は、前記右被検眼用測定光学系と前記左被検眼用測定光学系左右の測定を略同時に実行することを特徴とする自覚式検眼装置。
【請求項７】
視標光束を被検眼に向けて投影する投光光学系の光路中であって、前記視標光束の光学特性を変化する矯正光学系と、を有し、前記被検眼の光学特性を自覚的に測定する自覚式測定手段と、被検眼の眼底に測定光を出射し、その反射光を受光する測定光学系を有し、前記被検眼の光学特性を他覚的に測定する他覚式測定手段と、を備え、被検眼の光学特性を自覚的に測定する自覚式検眼装置において用いられる自覚式検眼プログラムであって、前記自覚式検眼装置のプロセッサによって実行されることで、
前記自覚式測定手段によって前記被検眼の光学特性の自覚的な測定を開始した後、前記他覚式測定手段によって前記被検眼の光学特性を他覚的に測定して前記被検眼の光学特性を取得する制御ステップと、
前記制御ステップによって取得された他覚的に測定された前記被検眼の光学特性を、前記自覚測定手段によって前記被検眼の光学特性を自覚的に測定する際の前記矯正光学系の初期値として設定する初期値設定ステップと、
を前記自覚式検眼装置に実行させることを特徴とする自覚式検眼プログラム。
【発明の詳細な説明】
【技術分野】
【０００１】
本開示は、被検眼の光学特性を自覚的に測定する自覚式検眼装置及び自覚式検眼プログラムに関する。
【背景技術】
【０００２】
従来、自覚式検眼装置としては、例えば、屈折度の矯正が可能な矯正光学系を被検者の眼前に個別に配置し、矯正光学系を介して検査視標を被検眼の眼底へ投光するものが知られている（特許文献１参照）。検者は、被検者の応答を受けその視標が被検者に適正に見えるまで矯正光学系の調節を行って矯正値を求め、この矯正値に基づいて被検眼の屈折力を測定する。また、例えば、自覚式検眼装置としては、矯正光学系を介した検査視標が像を被検者の眼前に形成し、矯正光学系を眼前に配置することなく、被検眼の屈折力を測定するものが知られている（特許文献２）。
【先行技術文献】
【特許文献】
【０００３】
【特許文献１】特開平５−１７６８９３号公報
【特許文献２】米国特許第３８７４７７４号公報
【発明の概要】
【発明が解決しようとする課題】
【０００４】
ところで、被検眼の光学特性を測定するための検査としては、被検眼の光学特性を他覚的に測定した後に、その測定結果を考慮して、自覚式検査装置によって被検眼の光学特性を自覚的に測定している。しかしながら、このような順序で検査を行う場合には、他覚的な測定が完了するまで、自覚式検査装置による自覚的な測定を行うことができず、時間がかかっている。
【０００５】
本開示は、上記問題点を鑑み、被検眼の光学特性を迅速に測定することができる自覚式検眼装置を提供することを技術課題とする。
【課題を解決するための手段】
【０００６】
上記課題を解決するために、本発明は以下のような構成を備えることを特徴とする。
【０００７】
（１）  本開示の第１態様に係る自覚式検眼装置は、視標光束を被検眼に向けて投影する投光光学系の光路中であって、前記視標光束の光学特性を変化する矯正光学系と、を有し、前記被検眼の光学特性を自覚的に測定する自覚式測定手段を備え、被検眼の光学特性を自覚的に測定する自覚式検眼装置であって、被検眼の眼底に測定光を出射し、その反射光を受光する測定光学系を有し、前記被検眼の光学特性を他覚的に測定する他覚式測定手段と、前記自覚式測定手段によって前記被検眼の光学特性の自覚的な測定を開始した後、前記他覚式測定手段によって前記被検眼の光学特性を他覚的に測定して前記被検眼の光学特性を取得する制御手段と、前記制御手段によって他覚的に測定された前記被検眼の光学特性を、前記自覚測定手段によって前記被検眼の光学特性を自覚的に測定する際の前記矯正光学系の初期値として設定する初期値設定手段と、を備えることを特徴とする。
（２）  本開示の第２態様に係る自覚式検眼プログラムは、視標光束を被検眼に向けて投影する投光光学系の光路中であって、前記視標光束の光学特性を変化する矯正光学系と、を有し、前記被検眼の光学特性を自覚的に測定する自覚式測定手段と、被検眼の眼底に測定光を出射し、その反射光を受光する測定光学系を有し、前記被検眼の光学特性を他覚的に測定する他覚式測定手段と、を備え、被検眼の光学特性を自覚的に測定する自覚式検眼装置において用いられる自覚式検眼プログラムであって、前記自覚式検眼装置のプロセッサによって実行されることで、前記自覚式測定手段によって前記被検眼の光学特性の自覚的な測定を開始した後、前記他覚式測定手段によって前記被検眼の光学特性を他覚的に測定して前記被検眼の光学特性を取得する制御ステップと、前記制御ステップによって取得された他覚的に測定された前記被検眼の光学特性を、前記自覚測定手段によって前記被検眼の光学特性を自覚的に測定する際の前記矯正光学系の初期値として設定する初期値設定ステップと、を前記自覚式検眼装置に実行させることを特徴とする。
【図面の簡単な説明】
【０００８】
【図１】自覚式検眼装置の外観図である。
【図２】測定手段の構成について説明する図である。
【図３】自覚式検眼装置の内部を正面方向から見た概略構成図である。
【図４】自覚式検眼装置の内部を側面方向から見た概略構成図である。
【図５】自覚式検眼装置の内部を上面方向から見た概略構成図である。
【図６】制御動作の流れについて説明するフローチャートである。
【図７】初期値設定の制御動作の流れについて説明するフローチャートである。
【発明を実施するための形態】
【０００９】
以下、典型的な実施形態の１つについて、図面を参照して説明する。図１〜図７は本実施形態に係る自覚式検眼装置及び自覚式検眼プログラムについて説明するための図である。なお、以下の説明においては、自覚式検眼装置を例に挙げて説明する。なお、以下の＜＞にて分類された項目は、独立又は関連して利用されうる。
【００１０】
なお、本開示においては、本実施形態に記載した装置に限定されない。例えば、下記実施形態の機能を行う端末制御ソフトウェア（プログラム）をネットワーク又は各種記憶媒体等を介して、システムあるいは装置に供給する。そして、システムあるいは装置の制御装置（例えば、ＣＰＵ等）がプログラムを読み出し、実行することも可能である。
【００１１】
なお、以下の説明においては、自覚式検眼装置の奥行き方向（被検者の測定の際の被検者の前後方向）をＺ方向、奥行き方向に垂直（被検者の測定の際の被検者の左右方向）な平面上の水平方向をＸ方向、鉛直方向（被検者の測定の際の被検者の上下方向）をＹ方向として説明する。なお、以下符号に付されるＲ、Ｌはそれぞれ右眼用、左眼用を示すものとする。
【００１２】
＜概要＞
例えば、本実施形態における自覚式検眼装置（例えば、自覚式検眼装置１）は、自覚式測定手段を備える。また、例えば、自覚式検眼装置は他覚式測定手段を備える。また、例えば、制御手段（例えば、制御部７０）を備える。
【００１３】
＜自覚式測定手段＞
例えば、自覚式測定手段は、被検眼の光学特性を自覚的に測定する。例えば、自覚的に測定される被検眼の光学特性としては、眼屈折力（例えば、球面度数、乱視度数、乱視軸角度等）、コントラスト感度、両眼視機能（例えば、斜位量、立体視機能等）等が挙げられる。
【００１４】
例えば、自覚式測定手段は、投光光学系（例えば、投光光学系３０）を備える。また、例えば、投光光学系は、視標光束を被検眼に向けて投影する。また、例えば、自覚式測定手段は、矯正光学系（例えば、矯正光学系６０、自覚式測定光学系２５）を備える。例えば、矯正光学系は、投光光学系の光路中に配置され、視標光束の光学特性を変化させる。なお、投光光学系については、自覚式測定手段において、一体的に設けられている必要は無く、別途、投光光学系を備える装置が設けられる構成であってもよい。すなわち、本実施形態における自覚式測定手段としては、少なくとも矯正光学系を備える構成であってもよい。
【００１５】
＜投光光学系＞
例えば、投光光学系は、視標光束を投影する光源を有する。また、例えば、投光光学系は、視標光束を投影する光源から投影された視標光束を被検眼に向けて導光する少なくとも１つ以上の光学部材等を有してもよい。
【００１６】
例えば、視標光束を投影する光源としては、ディスプレイ（例えば、ディスプレイ３１）を用いる構成であってもよい。例えば、ディスプレイとしては、ＬＣＤ（Liquid Crystal Display）や有機ＥＬ（Electro Luminescence）等が用いられる。例えば、ディスプレイには、ランドルト環視標等の検査視標等が表示される。
【００１７】
例えば、視標光束を投影する光源としては、ＤＭＤ（Digital Micromirror Device）を用いてもよい。一般的にＤＭＤは反射率が高く、明るい。そのため、偏光を用いる液晶ディスプレイを用いた場合と比べ、視標光束の光量を維持できる。
【００１８】
例えば、視標光束を投影する光源としては、視標呈示用可視光源と、視標板と、を有する構成であってもよい。この場合、例えば、視標板は、回転可能なディスク板であり、複数の視標を持つ。複数の視標は、例えば、自覚測定時に使用される視力検査用視標、等を含んでいる。例えば、視力検査用視標は、視力値毎の視標（視力値０．１、０．３、・・・、１．５）が用意されている。例えば、視標板はモータ等によって回転され、視標は、被検眼に視標光束が導光される光路上で切換え配置される。もちろん、視標光束を投影する光源としては、上記構成以外の光源を用いてもよい。
【００１９】
＜矯正光学系＞
例えば、矯正光学系は、視標光束の光学特性（例えば、球面度数、円柱度数、円柱軸、偏光特性、及び収差量、等の少なくともいずれか）を変更する構成であればよい。例えば、視標光束の光学特性を変更する構成として、光学素子を制御する構成であってもよい。例えば、光学素子としては、球面レンズ、円柱レンズ、クロスシリンダレンズ、ロータリープリズム、波面変調素子等の少なくともいずれかを用いる構成であってもよい。もちろん、例えば、光学素子としては、上記記載の光学素子とは異なる光学素子を用いるようにしてもよい。
【００２０】
例えば、矯正光学系は、被検者眼に対する視標の呈示位置（呈示距離）が光学的に変えられることにより、被検眼の球面度数が矯正される構成であってもよい。この場合、例えば、視標の呈示位置（呈示距離）が光学的に変更する構成としては、光源（例えば、ディスプレイ）を光軸方向に移動させる構成であってもよい。また、この場合、例えば、光路中に配置された光学素子（例えば、球面レンズ）を光軸方向に移動させる構成であってもよい。もちろん、矯正光学系は、光学素子を制御する構成と光路中に配置された光学素子を光軸方向に移動させる構成と組み合わせた構成であってもよい。
【００２１】
例えば、矯正光学系としては、被検眼の眼前に配置される光学素子を切り換えて配置する検眼ユニット（フォロプタ）であってもよい。例えば、検眼ユニットは、複数の光学素子が同一円周上に配置されたレンズディスクと、レンズディスクを回転させるための駆動手段と、を有し、駆動手段（例えば、モータ）の駆動により光学素子を電気的に切り換える構成であってもよい。
【００２２】
例えば、矯正光学系としては、投光光学系から視標光束を被検眼に向けて導光するための光学部材と、視標呈示手段と、間に光学素子を配置して、光学素子を制御することによって、視標光束の光学特性を変更する構成であってもよい。すなわち、矯正手段としては、ファントムレンズ屈折計（ファントム矯正光学系）の構成であってもよい。この場合、例えば、矯正光学系によって矯正された視標光束が光学部材を介して被検眼に導光される。
【００２３】
＜他覚式測定手段＞
例えば、本実施形態における自覚式検眼装置は、他覚式測定手段を備える。例えば、他覚式測定手段は、被検眼の光学特性を他覚的に測定する。例えば、他覚的に測定される被検眼の光学特性としては、眼屈折力（例えば、球面度数、乱視度数、乱視軸角度等）、偏光特性、水晶体の厚み情報等が挙げられる。なお、本実施形態においては、被検眼の眼屈折力を測定する他覚式測定手段を例に挙げて説明する。なお、例えば、他覚式測定手段は、被検眼の眼底に測定光を出射し、その反射光を受光する測定光学系（例えば、他覚式測定光学系１０）を備える。例えば、他覚的に測定される被検眼の光学特性としては、他覚式測定手段によって撮像された撮像結果（撮像画像）及び撮像結果を解析処理することによって取得されるパラメータの少なくともいずれかであってもよい。すなわち、他覚的に測定される被検眼の光学特性としては、他覚式測定手段によって撮像される撮像結果に基づくものであればよい
【００２４】
例えば、他覚式測定手段は、左右一対に設けられた右被検眼用測定光学系と左被検眼用測定光学系を有するようにしてもよい。この場合、例えば、右被検眼用測定光学系と左被検眼用測定光学系左右の測定を略同時に実行するようにしてもよい。また、この場合、例えば、右被検眼用測定光学系と左被検眼用測定光学系左右の測定を異なるタイミングで実施するようにしてもよい。例えば、異なるタイミングは、右被検眼用測定光学系と左被検眼用測定光学系の一方の測定光学系の測定が完了したタイミングであってもよい。また、例えば、異なるタイミングは、右被検眼用測定光学系と左被検眼用測定光学系の一方の測定光学系の測定を実施している間であってもよい。
【００２５】
また、例えば、他覚式測定手段は、１つの測定光学系によって、左右被検眼の測定が行われるようにしてもよい。この場合、例えば、一方の被検眼の眼底に測定光を出射して被検眼の測定を行うとともに、一方の眼の測定が完了した場合に、他方の被検眼の眼底に測定光が出射できるように調整を行い、他方の被検眼の測定を行う構成としてもよい。
【００２６】
＜測定光学系＞
例えば、測定光学系は、被検者眼眼底に向けて光源から測定光を投光する投光光学系と、測定光の眼底での反射によって取得される反射光を撮像素子で撮像する撮像光学系と、を有する。例えば、測定光学系は、被検眼の眼屈折力を測定する光学系であってもよい。この場合、例えば、測定光学系としては、被検眼の瞳孔中心部を介して被検眼の眼底にスポット状の測定指標を投影し、眼底から反射された眼底反射光を瞳孔周辺部を介させてリング状に取り出し、撮像素子にリング状の眼底反射像を撮像させる構成が挙げられる。また、この場合、例えば、測定光学系としては、瞳孔周辺部から眼底にリング状の測定指標を投影し、瞳孔中心部から眼底反射光を取り出し、撮像素子にリング状の眼底反射像を撮像させる構成が挙げられる。また、この場合、例えば、測定光学系は、シャックハルトマンセンサーを備えた構成であってもよい。また、この場合、例えば、測定光学系は、被検眼にスリットを投影する位相差方式を有する構成であってもよい。
【００２７】
＜自覚的測定の間における他覚的測定結果の取得＞
本実施形態において、例えば、制御手段は、自覚式測定手段によって被検眼の光学特性を自覚的に測定している間に、他覚式測定手段によって被検眼の光学特性を他覚的に測定する。なお、例えば、他覚式測定手段によって被検眼の光学特性を他覚的に測定する際には、自覚式測定手段による被検眼の光学特性の自覚的な測定を続けてもよい。また、例えば、他覚式測定手段によって被検眼の光学特性を他覚的に測定する際には、自覚式測定手段による被検眼の光学特性の自覚的な測定を一時的に停止させるようにしてもよい。この場合、他覚式測定手段によって他覚測定が完了した場合に、自覚式測定手段による被検眼の光学特性の自覚的な測定を再開するようにしてもよい。
【００２８】
例えば、本実施形態において、自覚式測定手段によって被検眼の光学特性を自覚的に測定している間に、他覚式測定手段によって被検眼の光学特性を他覚的に測定する構成を備えることによって、他覚的な測定結果から自覚式の測定の間における被検眼の光学特性の変化を捉えることができる。これによって、検者は、自覚式の測定の間における被検眼の光学特性の変化を考慮した自覚的な測定を行うことができる。このため、検者は、被検眼の光学特性を自覚的に測定する際に、被検眼の光学特性を精度よく測定することができる。
【００２９】
例えば、自覚式測定手段によって被検眼の光学特性を自覚的に測定している間に、他覚式測定手段によって被検眼の光学特性を他覚的に測定する場合としては、制御手段は、少なくとも１つ以上の自覚検査をしている間に、他覚式測定手段によって被検眼の光学特性を他覚的に測定してもよい。
【００３０】
例えば、少なくとも１つ以上の自覚検査とは、１つの自覚検査を実施している場合、複数の自覚検査を実施している場合、を含む。なお、例えば、１つの自覚検査は、被検眼の少なくとも１つの光学特性を自覚的に測定する検査であってもよい。
【００３１】
例えば、１つの自覚検査を実施している場合、制御手段が、自覚式測定手段によって１つの自覚検査を実施している間に、他覚式測定手段によって被検眼の光学特性を他覚的に測定するようにしてもよい。
【００３２】
例えば、複数の自覚検査を実施している場合、制御手段は、自覚式測定手段によって複数の自覚検査の内の１つの自覚検査を実施している間に、他覚式測定手段によって被検眼の光学特性を他覚的に測定するようにしてもよい。また、例えば、複数の自覚検査を実施している場合、制御手段は、自覚式測定手段によって第１の自覚検査と、第２の自覚検査と、の検査間に、他覚式測定手段によって被検眼の光学特性を他覚的に測定するようにしてもよい。この場合、例えば、第１自覚検査と第２自覚検査が同一の光学特性を測定するための自覚検査であってもよいし、第１自覚検査と第２自覚検査が異なる光学特性を測定するための自覚検査であってもよい。
【００３３】
例えば、自覚式検眼装置は、他覚式測定手段による他覚的な測定を開始するための他覚測定開始トリガ信号を送信する送信手段と、他覚測定開始トリガ信号を受信する受信手段を備えてもよい。例えば、送信手段によって、他覚測定開始トリガ信号が送信され、受信手段によって、他覚測定開始トリガ信号が受信されると、制御手段は、少なくとも１つ以上の自覚検査をしている間に、他覚式測定手段によって被検眼の光学特性を他覚的に測定する。例えば、他覚式測定手段による他覚的な測定を開始は、手動によって実施されてもよいし、自動によって実施されてもよい。
【００３４】
例えば、他覚的な測定の開始を手動で実施する構成の場合、他覚的な測定を開始するための他覚測定開始トリガ信号を自覚式検眼装置に送信する送信手段として開始スイッチを設ける。例えば、検者によって開始スイッチが選択されることによって、他覚測定開始トリガ信号が送信される。例えば、受信手段によって他覚測定開始トリガ信号が受信されると、制御手段が他覚式測定手段による測定を開始するようにしてもよい。例えば、少なくとも１つ以上の自覚検査をしている間に、他覚式測定手段によって被検眼の光学特性を他覚的に測定する構成としては、少なくとも１回の他覚的な測定が実施されるようにすればよい。すなわち、例えば、少なくとも１つ以上の自覚検査をしている間に、他覚式測定手段によって被検眼の光学特性を他覚的に測定する構成としては、最少の測定回数として、１回の他覚的な測定が実施されるようにしてもよいし、最大の測定回数として、常時（リアルタイムに）の他覚的な測定が実施されるようにしてもよい。
【００３５】
例えば、他覚的な測定を１回実施したい場合には、少なくとも１つ以上の自覚検査をしている間に、検者が開始スイッチを１回選択することで、他覚的な測定が実施されるようにしてもよい。
【００３６】
また、例えば、他覚的な測定を複数回実施したい場合には、少なくとも１つ以上の自覚検査をしている間に、検者が開始スイッチを複数回選択することで、複数回の他覚的な測定が実施されるようにしてもよい。また、例えば、他覚的な測定を複数回実施したい場合には、少なくとも１つ以上の自覚検査をしている間に、検者が開始スイッチを１回選択することで、複数回の他覚的な測定が実施されるようにしてもよい。
【００３７】
なお、例えば、１回の他覚測定開始トリガ信号が出力されることで複数回の他覚的な測定が実施される場合、少なくとも１つ以上の自覚検査をしている間に、検者が開始スイッチを１回選択することで、予め設定された回数の他覚的な測定が実施されるようにしてもよい。また、例えば、１回の他覚測定開始トリガ信号が出力されることで複数回の他覚的な測定が実施される場合、少なくとも１つ以上の自覚検査をしている間に、検者が開始スイッチを１回選択することで、予め設定されたタイミングで他覚的な測定が実施されるようにしてもよい。また、例えば、１回の他覚測定開始トリガ信号が出力されることで複数回の他覚的な測定が実施される場合、少なくとも１つ以上の自覚検査をしている間に、検者が開始スイッチを１回選択することで、常時測定を実施して、リアルタイムに他覚的な測定を実施されていくようにしてもよい。
【００３８】
例えば、他覚的な測定の開始を自動で実施する構成の場合、自覚検査が開始された後、制御手段が送信手段を制御して、予め設定されたタイミングで他覚測定開始トリガ信号を送信する。例えば、受信手段によって、他覚測定開始トリガ信号が受信されると、制御手段が他覚式測定手段による測定が開始するようにしてもよい。なお、本実施形態においては、送信手段の制御は、制御手段によって実施されているがこれに限定されない。例えば、制御手段とは異なる制御手段が別途設けられることによって実施されてもよい。
【００３９】
例えば、予め設定されたタイミングとしては、自覚的な測定の開始時（例えば、視標光束の投影する開始した状態、検査プログラムを開始した状態、自覚式検査装置の操作部の操作を開始した状態、矯正光学系の駆動を開始した状態等）、予め設定された時間の経過時（例えば、自覚的な測定の開始から所定時間経過時等）、検査視標の切り換え時、自覚検査と自覚検査との間（複数の自覚検査を行う場合）、被検者が自覚検査における回答をした時（検者が被検者回答に基づく操作を行った時）等の少なくともいずれかであってもよい。もちろん、上記記載以外のタイミングで、他覚測定開始トリガ信号が出力されるようにしてもよい。
【００４０】
例えば、少なくとも１つ以上の自覚検査をしている間に、他覚式測定手段によって被検眼の光学特性を他覚的に測定する構成としては、少なくとも１回の他覚的な測定が実施されるようにすればよい。すなわち、例えば、少なくとも１つ以上の自覚検査をしている間に、他覚式測定手段によって被検眼の光学特性を他覚的に測定する構成としては、最少の測定回数として、１回の他覚的な測定が実施されるようにしてもよいし、最大の測定回数として、常時（リアルタイムに）の他覚的な測定が実施されるようにしてもよい。
【００４１】
例えば、他覚的な測定を１回実施したい場合には、少なくとも１つ以上の自覚検査をしている間に、予め設定されたタイミングで他覚測定開始トリガが出力されるようにし、他覚式測定手段による測定が開始されるようにしてもよい。
【００４２】
また、例えば、他覚的な測定を複数回実施したい場合には、少なくとも１つ以上の自覚検査をしている間に、予め設定されたタイミングで他覚測定開始トリガが出力されるようにし、複数回の他覚的な測定が実施されるようにしてもよい。この場合、例えば、少なくとも１つ以上の自覚検査をしている間に、複数回の他覚測定開始トリガ信号が出力されることで複数回の他覚的な測定が実施されるようにしてもよい。この場合、例えば、少なくとも１つ以上の自覚検査をしている間に、１回の他覚測定開始トリガ信号が出力されることで複数回の他覚的な測定が実施されるようにしてもよい。
【００４３】
なお、例えば、１回の他覚測定開始トリガ信号が出力されることで複数回の他覚的な測定が実施される場合、少なくとも１つ以上の自覚検査をしている間に、１回の他覚測定開始トリガが出力されることで、予め設定された回数の他覚的な測定が実施されるようにしてもよい。また、例えば、１回の他覚測定開始トリガ信号が出力されることで複数回の他覚的な測定が実施される場合、少なくとも１つ以上の自覚検査をしている間に、１回の他覚測定開始トリガが出力されることで、予め設定されたタイミングで複数回の他覚的な測定が実施されるようにしてもよい。また、例えば、１回の他覚測定開始トリガ信号が出力されることで複数回の他覚的な測定が実施される場合、常時測定を実施して、リアルタイムに他覚的な測定を実施されていくようにしてもよい。
【００４４】
＜調節情報取得＞
例えば、本実施形態において、制御手段は、他覚式測定手段によって被検眼の光学特性を他覚的に測定して第１光学特性を取得するとともに、自覚式測定手段によって被検眼の光学特性を自覚的に測定している間に、他覚式測定手段によって被検眼の光学特性を他覚的に測定して第２光学特性を取得する。
【００４５】
例えば、本実施形態において、自覚的検眼装置は、取得手段を備えてもよい。例えば、本実施例において、自覚的検眼装置は、出力手段を備えてもよい。例えば、取得手段は、第１光学特性及び第２光学特性に基づく調節情報を取得する。例えば、出力手段は、調節情報を出力する。例えば、本実施形態において、他覚的に測定して第１光学特性を取得するとともに、被検眼の光学特性を自覚的に測定している間に、他覚的に測定した第２光学特性を取得する。取得した第１光学特性及び第２光学特性に基づく調節情報を取得し、調節情報を出力する。このような構成によって、自覚式の測定の間における被検眼の光学特性の変化が被検眼の第１光学特性及び第２光学特性に基づく調節情報から容易に取得することができる。このため、検者は、調節情報を用いることで、被検眼の光学特性を自覚的に測定する際に、被検眼の光学特性を容易に精度よく測定できる。
【００４６】
なお、例えば、調節情報を取得する際の第１光学特性及び第２光学特性としては、被検眼の調節状態の変化による影響がより生じやすい眼屈折力を用いることで、より光学特性の変化を捉えやすい。さらに、眼屈折力を用いる場合には、少なくとも球面度数を用いると、より光学特性の変化を捉えやすい。もちろん、調節情報を取得する際に、眼屈折力を用いる場合には、球面度数、乱視度数、及び乱視軸角度の少なくともいずれかが用いられる構成であってもよい。
【００４７】
例えば、第１光学特性を取得するタイミングとしては、自覚式測定手段によって被検眼の光学特性を自覚的に測定する以前に取得するようにしてもよい。この場合、例えば、制御手段は、自覚式測定手段によって被検眼の光学特性を自覚的に測定する以前に、他覚式測定手段によって被検眼の光学特性を他覚的に測定し、第１光学特性を取得するようにしてもよい。例えば、本実施形態において、自覚式測定手段によって被検眼の光学特性を自覚的に測定する以前に、他覚式測定手段によって被検眼の光学特性を他覚的に測定している。これによって、自覚式測定手段による自覚式の測定の前に、他覚式の測定が行われるため、自覚式測定手段を使用していることによって生じる光学特性の変化を抑制した状態で、他覚式の測定による光学特性を取得できる。このため、光学特性の変化が抑制された他覚式の測定による光学特性を取得することができ、より良好な調節情報を取得することができる。
【００４８】
また、例えば、第１光学特性を取得するタイミングとしては、自覚式測定手段によって被検眼の光学特性を自覚的に測定している間に取得するようにしてもよい。この場合、例えば、自覚式測定手段によって被検眼の光学特性を自覚的に測定している間に第１光学特性を取得するとともに、第１光学特性を取得した後に第２光学特性を取得するようにしてもよい。
【００４９】
例えば、調節情報は、第１光学特性及び第２光学特性が比較可能な情報であればよい。例えば、調節情報としては、第１光学特性と、第２光学特性と、を差分処理することによって取得された情報であってもよい。例えば、差分処理することで取得される調節情報は、第１光学特性と第２光学特性とのパラメータの差分結果、及び撮像画像の差分画像等の少なくともいずれかであってもよい。なお、例えば、上記のパラメータとしては、球面度数値、乱視度数値、乱視軸角度値等の少なくともいずれかの数値であってもよい。
【００５０】
例えば、差分画像としては、撮像画像間の画素毎の輝度値を差分処理した画像であってもよい。この場合、例えば、第１光学特性と第２光学特性で変化がない場合には、差分画像における各画素の輝度値が０となる（同一の撮像画像となるため、その差分が０となる）。また、この場合、例えば、第１光学特性と第２光学特性で変化がある場合には、差分画像には、各撮像画像の輝度値が０とならないため画像上に像が現れる。
【００５１】
なお、例えば、差分処理を行う場合には、差分処理を行うための基準の光学特性（基準データ）としては、任意の光学特性を設定できるようにしてもよい。例えば、差分結果としては、基準データに対して、各光学特性が差分処理されることによって、取得されるようにしてもよい。
【００５２】
例えば、第１光学特性及び第２光学特性のみを取得した場合には、第１光学特性及び第２光学特性の少なくとも一方を基準データとしてもよい。例えば、第１光学特性及び第２光学特性の他にさらに光学特性を取得した場合には、取得された光学特性の中から任意の光学特性を基準データとして設定すればよい。なお、例えば、光学特性を基準データとして設定する場合に、複数の光学特性の中から検者によって基準データを選択してもよい。また、例えば、光学特性を基準データとして設定する場合に、取得手段によって、自動的に基準データが設定されるようにしてもよい。この場合、例えば、取得手段は、複数の光学特性の中から光学特性が最小（最も遠点側（眼の調節が入っていない側））のものを基準データとして設定してもよい。また、例えば、取得手段は、複数の光学特性の中から光学特性が新たに取得された基準データの直前に取得された光学特性を基準データとして設定してもよい。また、例えば、取得手段は、複数の自覚検査が実施されている場合に、複数の自覚検査の中で他覚式測定によって取得された光学特性から任意の光学特性を基準データとして設定してもよい。
【００５３】
なお、差分結果として、数値、グラフ等で表示するようにしてもよい。例えば、リアルタイムに他覚式測定又は複数回の他覚式測定を行う場合に、それらの差分結果が連続的に表示されるようにしてもよい。このような構成とすれば、光学特性の変動状態を確認することができる。
【００５４】
なお、例えば、差分結果、及び差分画像の少なくともいずれかに基づいて、光学特性の変化の良否を判定するようにしてもよい。この場合、例えば、判定手段が設けられ、判定手段が差分結果、及び撮像画像の形状変化結果等の少なくともいずれかの結果が予め設定された基準を満たすか否かを判定し、判定結果を出力するようにしてもよい。
【００５５】
例えば、本実施形態において、調節情報が比較処理によって取得されることによって、自覚式の測定の間における被検眼の光学特性の変化が、比較処理された調節情報から、より容易に取得できる。このため、検者は、調節情報を用いることで、被検眼の光学特性を自覚的に測定する際に、被検眼の光学特性をより容易に精度よく測定できる。
【００５６】
例えば、調節情報としては、第１光学特性及び第２光学特性であってもよい。この場合、例えば、調節情報としては、第１光学特性及び第２光学特性が並べられた情報（例えば、第１光学特性が配置された第１領域、第１領域とは異なる第２領域に第２光学特性が配置された情報）であってもよい。また、この場合、調節情報としては、第１光学特性と第２光学特性を切り換え表示可能な情報であってもよい。また、この場合、例えば、調節情報としては、第１光学特性と第２光学特性とが重畳された情報であってもよい。なお、重畳された情報とは、第１光学特性と、第２光学特性と、の内少なくとも一部が重畳されている情報であってもよい。なお、例えば、調節情報としては、上記情報が併用して実施される構成としてもよい。
【００５７】
例えば、本実施形態において、自覚的検眼装置は、出力手段を備えてもよい。例えば、出力手段は、調節情報を出力する。例えば、出力手段は、調節情報をディスプレイに表示する構成であってもよい。また、例えば、出力手段は、調節情報を印刷する構成であってもよい。例えば、出力手段は、調節情報を他の装置（他の制御手段）に向けて送信する構成であってもよい。この場合、例えば、他の装置は、調節情報を受信し、受信した調節情報に基づいて各種制御が行われるようにしてもよい。
【００５８】
なお、本実施形態において、制御手段と、取得手段（取得制御手段）と、出力手段(出力制御手段）と、が兼用された構成であってもよい。また、例えば、制御手段と、取得手段と、出力手段と、が別途それぞれ設けられている構成であってもよい。もちろん、上記各制御手段は、複数の制御手段によって構成されてもよい。
【００５９】
なお、本実施形態においては、自覚式測定手段によって被検眼の光学特性を自覚的に測定している間に、他覚式測定手段によって被検眼の光学特性を他覚的に測定する自覚式検眼装置を例に挙げて説明しているがこれに限定されない。自覚式検眼装置が調節情報を取得できる構成であってもよい。この場合、例えば、制御手段は、他覚式測定手段によって被検眼の光学特性を他覚的に測定して第１光学特性を取得するとともに、第１光学特性を取得したタイミングとは異なるタイミングにて、他覚式測定手段によって被検眼の光学特性を他覚的に測定して第２光学特性を取得するようにしてもよい。例えば、取得手段は、第１光学特性及び第２光学特性に基づく調節情報を取得するようにしてもよい。例えば、出力手段は、調節情報を出力するようにしてもよい。例えば、本実施形態において、被検眼の光学特性を他覚的に測定して第１光学特性を取得するとともに、第１光学特性を取得したタイミングとは異なるタイミングにて、他覚式測定手段によって被検眼の光学特性を他覚的に測定して第２光学特性を取得する。取得した第１光学特性及び第２光学特性に基づく調節情報を取得し、調節情報を出力する。このような構成によって、検者は、自覚式検眼装置を用いる場合に、被検眼の光学特性の変化状態を取得できる。これによって、自覚式検眼装置を用いて被検眼の測定を行う際に、被検眼を精度よく測定できる。
【００６０】
＜調節情報に基づく補正処理＞
例えば、本実施形態において、自覚式検眼装置は設定手段（例えば、制御部７０）を備えてもよい。例えば、本実施形態において、自覚式検眼装置は第１補正手段（例えば、制御部７０、矯正光学系６０）を備えてもよい。例えば、設定手段は、自覚式測定手段によって被検眼の光学特性を自覚的に測定している間に生じる被検眼の調節状態変化を補正するための補正量を調節情報に基づいて設定してもよい。なお、補正量としては、発生した被検眼の調節状態変化をキャンセルできる補正量に設定されることが好ましいが、自覚検査に支障が現れない程度であれば、これに限定されない。例えば、第１補正手段は、設定手段によって設定された補正量に基づいて、自覚式測定手段にて生じる被検眼の調節状態変化をキャンセルする補正を行ってもよい。例えば、本実施形態において、被検眼の調節状態変化を補正するための補正量を調節情報に基づいて設定し、補正量に基づいて、自覚式測定手段にて生じる被検眼の調節状態変化をキャンセルする補正を行っている。これによって、自覚式測定手段によって被検眼の光学特性を自覚的に測定している間に、被検眼の光学特性の変化が生じた場合であっても、光学特性の変化をキャンセルした状態で測定を行うことができる。これによって、被検眼の光学特性を自覚的に測定する際に、被検眼の光学特性を容易に精度よく測定できる。
【００６１】
例えば、補正量は、調節情報のパラメータ毎に予め設定されたテーブルが作成されてもよく、作成されたテーブルは、メモリ（例えば、メモリ７２）に記憶されてもよい。この場合、例えば、設定手段は、調節状態に対応する補正量をメモリより呼び出し、設定するようにしてもよい。また、例えば、補正量は、調節情報のパラメータ毎の補正量を導出するための演算式がメモリに記憶され、演算式を用いて補正量を求めてもよい。
【００６２】
例えば、第１補正手段としては、矯正光学系が第１補正手段を兼用する構成であってもよい。例えば、本実施形態において、矯正光学系が第１補正手段を兼用することで、複雑な制御や、別途、調節状態変化をキャンセルするための補正手段を必要としないため、簡易的な構成で光学収差を補正することができる。例えば、第１補正手段としては、別途、専用の補正手段を設けるようにしてもよい。この場合、例えば、第１補正手段としては、例えば、第１補正手段として、球面レンズ、円柱レンズ、クロスシリンダレンズ、ロータリープリズム、波面変調素子等の少なくともいずれかを用いる構成であってもよい。もちろん、例えば、第１補正手段としては、上記記載の部材とは異なる部材を用いるようにしてもよい。
【００６３】
なお、本実施形態において、制御手段と、設定手段（設定制御手段）と、第１補正手段の制御手段と、が兼用された構成であってもよい。また、例えば、制御手段と、設定手段と、第１補正手段の制御手段と、が別途それぞれ設けられている構成であってもよい。もちろん、上記各制御手段は、複数の制御手段によって構成されてもよい。
【００６４】
＜矯正光学系の矯正情報に基づく他覚測定結果の補正＞
なお、本実施形態において、例えば、自覚式検眼装置としては、矯正光学系が測定光学系の光路中に配置されているように構成されていてもよい。もちろん、自覚式検眼装置としては、矯正光学系が測定光学系の光路中に配置されていない構成であってもよい。
【００６５】
例えば、矯正光学系が測定光学系の光路中に配置されている場合、自覚式検眼装置は、第２補正手段（例えば、制御部７０）を備えてもよい。例えば、第２補正手段は、矯正光学系による矯正情報に基づいて、他覚式測定手段によって被検眼を他覚的に測定して得られた測定結果を補正するようにしてもよい。例えば、第２補正手段は、矯正光学系による矯正情報に基づいて、矯正光学系による矯正状態をキャンセルするように、他覚式測定手段によって被検眼を他覚的に測定して得られた測定結果を補正するようにしてもよい。例えば、本実施形態において、他覚測定手段の光路中に矯正光学系が存在する場合に、他覚を測定する測定光束が矯正光学系を経由することによって生じる光学特性のずれを補正することができる。これによって、矯正光学系によって矯正が行われている場合に他覚的な測定を行った場合であっても、光学特性が精度よく取得できる。例えば、特に、他覚的な測定によって取得された少なくとも２つの光学特性に基づく調節情報を取得する際には、光学特性間でずれが生じることで比較することが困難となることがあるため、本技術がより効果的である。
【００６６】
例えば、第２補正手段は、測定結果として、光学特性を補正するようにしてもよい。なお、光学特性として、第１光学特性と第２光学特性が取得されている場合には、第１光学特性及び第２光学特性の少なくとも一方を補正するようにすればよい。また、例えば、第２補正手段は、測定結果として、調節情報を補正するようにしてもよい。
【００６７】
なお、本実施形態において、制御手段と、第２補正手段（第２補正制御手段）と、が兼用された構成であってもよい。また、例えば、制御手段と、第２補正手段と、が別途それぞれ設けられている構成であってもよい。もちろん、上記各制御手段は、複数の制御手段によって構成されてもよい。
【００６８】
＜自覚検査の初期値設定＞
本実施形態において、例えば、自覚式検眼装置は、初期値設定手段（例えば、制御部７０）を備えてもよい。この場合、例えば、制御手段は、自覚式測定手段によって被検眼の光学特性の自覚的な測定を開始した後、他覚式測定手段によって被検眼の光学特性を他覚的に測定して被検眼の光学特性を取得するようにしてもよい。例えば、初期値設定手段は、制御手段によって他覚的に測定された被検眼の光学特性を、自覚測定手段によって被検眼の光学特性を自覚的に測定する際の矯正光学系の初期値として設定するようにしてもよい。なお、例えば、初期値として設定される光学特性としては、球面度数、円柱度数、円柱軸、偏光特性、及び収差量、等の少なくともいずれかが挙げられる。もちろん、上記以外の光学特性が初期値として設定される構成としてもよい。例えば、本実施形態において、自覚式測定手段によって被検眼の光学特性の自覚的な測定を開始した後、他覚式測定手段によって被検眼の光学特性を他覚的に測定して被検眼の光学特性を取得する。他覚的に測定された被検眼の光学特性が、自覚測定手段によって被検眼の光学特性を自覚的に測定する際の矯正光学系の初期値として設定される。このような構成によって、他覚的な測定が完了するまで、自覚式検査装置による自覚的な測定の実施を待機する必要がなく、被検眼の光学特性を迅速に測定することができる。
【００６９】
例えば、自覚的な測定の開始とは、自覚的な測定の制御が開始されている状態であればよい。より詳細には、例えば、自覚的な測定の開始とは、視標光束の投影を開始した状態、検査プログラムを開始した状態、自覚式検査装置の操作部の操作を開始した状態、矯正光学系の駆動を開始した状態等の少なくともいずれかであってもよい。
【００７０】
例えば、初期値設定手段は、初期値として設定する自覚検査として、他覚的な測定を開始した際に実施されていた自覚検査において、他覚的に測定された被検眼の光学特性を初期値として設定する構成としてもよい。この場合、例えば、初期値設定手段は、他覚式測定手段によって他覚的に測定された被検眼の光学特性を、他覚式測定手段による他覚的な測定を開始する前に自覚式測定手段によって実施されていた被検眼の光学特性の自覚的な測定における矯正光学系の初期値として設定する。例えば、本実施形態において、他覚式測定手段によって他覚的に測定された被検眼の光学特性を、他覚式測定手段による他覚的な測定を開始する前に、自覚式測定手段によって実施されていた被検眼の光学特性の自覚的な測定における矯正光学系の初期値として設定する。このような構成によって、自覚式検査装置による自覚的な測定を迅速に行うことができる。
【００７１】
また、例えば、初期値設定手段は、初期値として設定する自覚検査として、他覚的な測定を開始した際に実施されていた自覚検査（第１自覚検査）とは異なる自覚検査（第２自覚検査）において、他覚的に測定された被検眼の光学特性を初期値として設定する構成としてもよい。この場合、例えば、制御手段は、自覚式測定手段によって被検眼の光学特性を自覚的に測定する第１自覚式測定を実行した後、再度、自覚式測定手段によって被検眼の光学特性を自覚的に測定する第２自覚式測定を実行するようにしてもよい。例えば、制御手段は、第１自覚式測定を開始した後、他覚式測定手段によって被検眼の光学特性を他覚的に測定するようにしてもよい。例えば、初期値設定手段は、他覚式測定手段によって他覚的に測定された前記被検眼の光学特性を、前記第２自覚式測定の初期値として設定するようにしてもよい。例えば、本実施形態において、自覚式測定手段によって被検眼の光学特性を自覚的に測定する第１自覚式測定を実行した後、再度、自覚式測定手段によって被検眼の光学特性を自覚的に測定する第２自覚式測定を実行する。第１自覚式測定を開始した後、他覚式測定手段によって被検眼の光学特性を他覚的に測定し、他覚的に測定された被検眼の光学特性を、第２自覚式測定の初期値として設定する。このような構成によって、再度、自覚測定を行う場合であっても、異なる自覚測定時において既に初期値が取得されているため、迅速に測定を行うことができる。
【００７２】
例えば、第１自覚検査は、第２自覚検査によって測定される光学特性と同一の光学特性を測定する自覚検査であってもよい。また、例えば、第１自覚検査は、第２自覚検査によって測定される光学特性と異なる光学特性を測定する自覚検査であってもよい。この場合、例えば、第１自覚検査としては、被検眼の裸眼時における光学特性を自覚的に測定する自覚検査（裸眼検査）であってもよい。また、例えば、第１自覚検査としては、被検眼が眼鏡を装用している状態時における光学特性を自覚的に測定する自覚検査（前眼鏡検査）であってもよい。これらの場合、例えば、第１自覚式測定は、矯正光学系によって、視標光束の光学特性を変化させない無矯正状態にて、被検眼の光学特性を自覚的に測定する自覚式測定であって、第２自覚式測定は、矯正光学系によって視標光束の光学特性を変化させて被検眼の光学特性を自覚的に測定する自覚式測定であってもよい。
【００７３】
なお、本実施形態において、自覚式検眼装置は、投光光学系による視標光束を、他覚式測定手段によって被検眼の光学特性を他覚的に測定する際に、被検眼が固視するための固視標として用いる構成としてもよい。例えば、本実施形態において、自覚検出手段における投光光学系による視標光束を他覚式測定手段によって被検眼の光学特性を他覚的に測定する際に、被検眼が固視するための固視標とする。このような構成によって、部材を少なくでき、簡易的な構成で装置を構成することができる。また、余分なスペースを少なくすることができ、装置を小型化することができる。
【００７４】
なお、本実施形態において、制御手段と、初期値設定手段（初期値設定制御手段）と、が兼用された構成であってもよい。また、例えば、制御手段と、初期値設定手段と、が別途それぞれ設けられている構成であってもよい。もちろん、上記各制御手段は、複数の制御手段によって構成されてもよい。
【００７５】
＜実施例＞
以下、本実施例の自覚式検眼装置について説明する。例えば、図１は、本実施例に係る自覚式検眼装置１の外観図である。例えば、本実施例における自覚式検眼装置１は、筐体２、呈示窓３、操作部（モニタ）４、顎台５、基台６、撮像光学系１００等を備える。例えば、筐体２は、内部に部材を収納する。例えば、筐体２の内部には、測定手段（図１の点線部）７を備える（詳細は後述する）。例えば、測定手段７は、右眼用測定手段（右眼用測定手段）７Ｒと左眼用測定手段（左眼用測定手段）７Ｌを備える。本実施形態においては、右眼用測定手段７Ｒと左眼用測定手段７Ｌは、同一の部材を備えている。すなわち、自覚式検眼装置１は、左右一対の自覚式測定手段と、左右一対の他覚式測定手段と、有する。もちろん、右眼用測定手段７Ｒと左眼用測定手段７Ｌは、部材の少なくとも一部が異なる構成であってもよい。
【００７６】
例えば、呈示窓３は、被検者に視標を呈示するために用いられる。例えば、右目用測定手段７Ｒと左目用測定手段７Ｌからの視標光束が呈示窓３を介して被検眼Ｅに投影される。
【００７７】
例えば、モニタ（ディスプレイ）４は、タッチパネルである。すなわち、本実施形態において、モニタ４が操作部（コントローラ）として機能する。モニタ４は、入力された操作指示に応じた信号を後述する制御部７０に出力する。もちろん、モニタ４と操作部が別に設けられた構成であってもよい。例えば、操作部には、マウス、ジョイスティック、キーボード等の操作手段の少なくともいずれかを用いる構成が挙げられる。
【００７８】
例えば、モニタ４は、自覚式検眼装置１の本体に搭載されたディスプレイであってもよいし、自覚式検眼装置１の本体に接続されたディスプレイであってもよい。もちろん、タッチパネル式でなくともよい。例えば、パーソナルコンピュータ（以下、「ＰＣ」という。）のディスプレイを用いてもよい。また、例えば、複数のディスプレイが併用されてもよい。例えば、モニタ４には、測定結果が表示される。
【００７９】
例えば、顎台５は、被検眼Ｅと自覚式検眼装置１との距離を一定に保つため、又は顔の大きいブレを抑えるため、に用いられる。例えば、基台６には、顎台５と、筐体２が固定されている。なお、本実施形態においては、被検眼Ｅと自覚式検眼装置１との距離を一定に保つために顎台５を用いているがこれに限定されない。被検眼Ｅと自覚式検眼装置１との距離を一定に保つための構成であればよい。例えば、被検眼Ｅと自覚式検眼装置１との距離を一定に保つための構成としては、額当て、顔当て等を用いる構成が挙げられる。
【００８０】
例えば、撮像光学系１００は、図示無き撮像素子とレンズによって構成される。例えば、撮像光学系は、被検眼の顔を撮影するために用いられる。
【００８１】
＜測定手段＞
図２は、測定手段７の構成について説明する図である。本実施形態においては、左眼用測定手段７Ｌを例に挙げて説明する。本実施形態において、右眼用測定手段７Ｒは、左眼用測定手段７Ｌと同様の構成であるため、説明は省略する。例えば、左眼用測定手段７Ｌは、自覚式測定光学系２５と、他覚式測定光学系１０と、第１指標投影光学系４５、第２指標投影光学系４６、観察光学系５０を備える。
【００８２】
＜自覚式光学系＞
例えば、自覚測定光学系２５は、被検眼の光学特性を自覚的に測定する自覚式測定手段の構成の一部として用いられる（詳細は後述する）。例えば、被検眼の光学特性としては、眼屈折力、コントラスト感度、両眼視機能（例えば、斜位量、立体視機能等）等が挙げられる。なお、本実施形態においては、被検眼の眼屈折力を測定する自覚式測定手段を例に挙げて説明する。例えば、自覚式測定光学系２５は、投光光学系（視標投光系）３０と、矯正光学系６０、補正光学系９０、で構成される。
【００８３】
例えば、投光光学系３０は、視標光束を被検眼Ｅに向けて投影する。例えば、投光光学系３０は、ディスプレイ３１、投光レンズ３３、投光レンズ３４、反射ミラー３６、ダイクロイックミラー３５、ダイクロイックミラー２９、対物レンズ１４、を備える。例えば、ディスプレイ３１から投影された視標光束は、投光レンズ３３、投光レンズ３４、反射ミラー３６、ダイクロイックミラー３５、ダイクロイックミラー２９、対物レンズ１４の順で光学部材を経由して被検眼Ｅに投影される。
【００８４】
例えば、ディスプレイ３１には、ランドルト環視標等の検査視標、被検眼Ｅを固視させるための固視標（後述する他覚測定時等に用いられる）等が表示される。例えば、ディスプレイ３１からの視標光束が被検眼Ｅに向けて投影される。本実施例においては、ディスプレイ３１として、ＬＣＤを用いた場合を例に挙げて、以下の説明を行う。
【００８５】
例えば、矯正光学系６０は、乱視矯正光学系６３、駆動機構３９を備える。
【００８６】
例えば、乱視矯正光学系６３は、投光レンズ３４と投光レンズ３３との間に配置されている。例えば、乱視矯正光学系６３は、被検眼の円柱度数、円柱軸等を矯正するために用いられる。例えば、乱視矯正光学系６３は、焦点距離の等しい、２枚の正の円柱レンズ６１ａ，６１ｂから構成される。円柱レンズ６１ａ，６１ｂは、それぞれ回転機構６２ａ、６２ｂの駆動により、光軸Ｌ２を中心に各々独立して回転される。なお、本実施形態においては、乱視矯正光学系６３は、２枚の正の円柱レンズ６１ａ，６１ｂを用いる構成を例に挙げて説明したがこれに限定されない。乱視矯正光学系６３は、円柱度数、円柱軸等を矯正できる構成であればよい。例えば、矯正レンズを投光光学系３０の光路に出し入れする構成でも良い。
【００８７】
例えば、ディスプレイ３１は、モータ及びスライド機構からなる駆動機構３９により光軸Ｌ２の方向に一体的に移動される。例えば、自覚測定時において、ディスプレイ３１が移動されることにより、被検者眼に対する視標の呈示位置（呈示距離）が光学的に変えられることにより、被検眼の球面屈折力が矯正される。すなわち、ディスプレイ３１の移動により、球面度数の矯正光学系が構成される。また、例えば、他覚測定時において、ディスプレイ３１が移動されることにより、被験者眼Ｅに雲霧が掛けられる。なお、球面度数の矯正光学系としては、これに限定されない。例えば、球面度数の矯正光学系は、多数の光学素子を有し、光路中に光学素子が配置されることによって矯正を行う構成であってもよい。また、例えば、光路中に配置されたレンズを光軸方向に移動させる構成であってもよい。
【００８８】
なお、本実施形態においては、球面度数、円柱度数、円柱軸を矯正する矯正光学系を例に挙げて説明しているがこれに限定されない。例えば、プリズム値が矯正される矯正光学系を設けてもよい。プリズム値の矯正光学系を設けることによって、被検者が斜位眼であっても、視標光束が被検眼に投影されるように、矯正することができる。
【００８９】
なお、本実施形態においては、円柱度数及び円柱軸の乱視矯正光学系６３と、球面度数の矯正光学系（例えば、駆動手段３９）と、が別途設けられている構成を例に挙げて説明したがこれに限定されない。例えば、矯正光学系として、球面度数、円柱度、円柱軸とが矯正される矯正光学系を備える構成であればよい。例えば、矯正光学系が波面を変調させる光学系であってもよい。また、例えば、矯正光学系が、球面度数、円柱度数、円柱軸等を矯正する光学系であってもよい。この場合、例えば、矯正光学系は、多数の光学素子（球面レンズ、円柱レンズ、分散プリズム、等）が同一円周上に配置されているレンズディスクを備える構成が挙げられる。レンズディスクが駆動部（アクチュエータ等）によって回転制御されることにより、検者が所望する光学素子が光軸Ｌ２に配置される。
【００９０】
また、光軸Ｌ２に配置された光学素子（例えば、円柱レンズ、クロスシリンダレンズ、ロータリプリズム等）が駆動部によって回転制御されることにより、検者が所望する回転角度にて光学素子が光軸Ｌ２に配置される。光軸Ｌ２に配置される光学素子の切換え等は、モニタ４などの入力手段（操作手段）の操作によって行われてもよい。
【００９１】
レンズディスクは、１つのレンズディスク、又は複数のレンズディスクからなる。複数のレンズディスクが配置された場合、各レンズディスクに対応する駆動部がそれぞれ設けられる。例えば、レンズディスク群として、各レンズディスクが開口（又は０Ｄのレンズ）及び複数の光学素子を備える。各レンズディスクの種類としては、度数の異なる複数の球面レンズを有する球面レンズディスク、度数の異なる複数の円柱レンズを有する円柱レンズディスク、複数種類の補助レンズを有する補助レンズディスクが代表的である。補助レンズディスクには、赤フィルタ／緑フィルタ、プリズム、クロスシリンダレンズ、偏光板、マドックスレンズ、オートクロスシリンダレンズの少なくともいずれかが配置される。また、円柱レンズは、駆動部により光軸Ｌ２を中心に回転可能に配置され、ロータリプリズム及びクロスシリンダレンズは、駆動部により各光軸を中心に回転可能に配置されてもよい。
【００９２】
例えば、補正光学系９０は、対物レンズ１４と後述する偏向ミラー８１の間に配置される。例えば、補正光学系９０は、自覚式測定手段にて生じる光学収差を補正するために用いられる。例えば、補正光学系９０は、光学収差における非点収差を補正するために用いられる。例えば、補正光学系９０は、焦点距離の等しい、２枚の正の円柱レンズ９１ａ，９１ｂから構成される。例えば、補正光学系９０は、円柱度数と、円柱軸を調整することによって、非点収差を補正する。円柱レンズ９１ａ，９１ｂは、それぞれ回転機構９２ａ、９２ｂの駆動により、光軸Ｌ３を中心に各々独立して回転される。なお、本実施形態においては、補正光学系９０は、２枚の正の円柱レンズ９１ａ，９１ｂを用いる構成を例に挙げて説明したがこれに限定されない。補正光学系９０は、非点収差を矯正できる構成であればよい。例えば、補正レンズを光軸Ｌ３に出し入れする構成でも良い。なお、本実施形態においては、別途、補正光学系９０を配置する構成を例に挙げているがこれに限定されない。矯正光学系６０が補正光学系９０を兼用する構成であってもよい。この場合、被検眼の円柱度数、円柱軸を、非点収差量に応じて、補正する。すなわち、非点収差量を考慮した（補正した）円柱度数、円柱軸を矯正するように、矯正光学系６０を駆動させる。このように、矯正光学系６０が補正光学系９０を兼用することで、例えば、複雑な制御や、別途、光学収差用の補正光学系を必要としないため、簡易的な構成で光学収差を補正することができる。
【００９３】
＜他覚式光学系＞
例えば、他覚式測定光学系１０は、被検眼の光学特性を他覚的に測定する他覚式測定手段の構成の一部として用いられる（詳細は後述する）。例えば、被検眼の光学特性としては、眼屈折力、眼軸長、角膜形状等が挙げられる。なお、本実施形態においては、被検眼の眼屈折力を測定する他覚式測定手段を例に挙げて説明する。
【００９４】
例えば、他覚式測定光学系１０は、投影光学系１０ａ、受光光学系１０ｂ、補正光学系９０、で構成される。例えば、投影光学系（投光光学系）１０ａは、被検眼Ｅの瞳孔中心部を介して被検眼Ｅの眼底にスポット状の測定指標を投影する。例えば、受光光学系１０ｂは、眼底から反射された眼底反射光を瞳孔周辺部を介してリング状に取り出し、二次元撮像素子にリング状の眼底反射像を撮像させる。
【００９５】
例えば、投影光学系１０ａは、他覚式測定光学系１０の光軸Ｌ１上に配置された，測定光源１１、リレーレンズ１２、ホールミラー１３、プリズム１５、駆動部（モータ）２３、ダイクロイックミラー３５、ダイクロイックミラー２９、及び対物レンズ１４を含む。例えば、プリズム１５は、光束偏向部材である。例えば、駆動部２３は、プリズム１５を光軸Ｌ１を中心に回転駆動させる回転手段である。例えば、光源１１は被検眼眼底と共役な関係となっており、ホールミラー１３のホール部は瞳孔と共役な関係となっている。例えば、プリズム１５は被検眼Ｅの瞳孔と共役な位置から外れた位置に配置されており、通過する光束を光軸Ｌ１に対して偏心させる。なお、プリズム１５に代えて光束偏向部材として平行平面板を光軸Ｌ１上に斜めに配置する構成でも良い。
【００９６】
例えば、ダイクロイックミラー３５は、自覚式測定光学系２５の光路と、他覚式測定光学系１０の光路と、共通にする。すなわち、例えば、ダイクロイックミラー３５は、自覚式測定光学系２５の光軸Ｌ２と、他覚式測定光学系１０の光軸Ｌ１と、を同軸にする。例えば、光路分岐部材であるビームスプリッタ２９は、自覚測定光学系２５による光束及び投影光学系１０ａによる測定光を反射し、被検眼に導く。
【００９７】
例えば、受光光学系１０ｂは、投影光学系１０ａの対物レンズ１４、ダイクロイックミラー２９、ダイクロイックミラー３５、プリズム１５及びホールミラー１３を共用し、ホールミラー１３の反射方向の光路に配置されたリレーレンズ１６、ミラー１７、ミラー１７の反射方向の光路に配置された受光絞り１８、コリメータレンズ１９、リングレンズ２０、ＣＣＤ等の二次元撮像素子２２（以下、撮像素子２２と記載する）を備える。例えば、受光絞り１８及び撮像素子２２は、被検眼眼底と共役な関係となっている。例えば、リングレンズ２０は、リング状に形成されたレンズ部と、レンズ部以外の領域に遮光用のコーティングを施した遮光部と、から構成され、被検眼の瞳孔と光学的に共役な位置関係となっている。例えば、撮像素子２２からの出力は、演算制御部７０（以下、制御部７０）に入力される。
【００９８】
例えば、ダイクロイックミラー２９は、被検眼眼底による投影光学系１０ａからの測定光の反射光を受光光学系１０に向けて反射する。また、例えば、ダイクロイックミラー２９は、前眼部観察光及びアライメント光を透過し、観察光学系５０に導く。また、例えば、ダイクロイックミラー３５は、被検眼眼底による投影光学系１０ａからの測定光の反射光を受光光学系１０に向けて反射する。
【００９９】
なお、他覚式測定光学系１０は上記のものに限らず、瞳孔周辺部から眼底にリング状の測定指標を投影し、瞳孔中心部から眼底反射光を取り出し、二次元撮像素子にリング状の眼底反射像を受光させる構成等、周知のものが使用できる。
【０１００】
なお、他覚式測定光学系１０は上記のものに限らず、被検者眼眼底に向けて測定光を投光する投光光学系と，測定光の眼底での反射によって取得される反射光を受光素子によって受光する受光光学系と，を有する測定光学系であればよい。例えば、眼屈折力測定光学系は、シャックハルトマンセンサーを備えた構成であってもよい。もちろん、他の測定方式の装置が利用されてもよい（例えば、スリットを投影する位相差方式の装置）。
【０１０１】
例えば、投影光学系１０ａの光源１１と、受光光学系１０ｂの受光絞り１８、コリメータレンズ１９、リングレンズ２０、撮像素子２２は、光軸方向に一体的に移動可能となっている。本実施形態において、例えば、投影光学系１０ａの光源１１と、受光光学系１０ｂの受光絞り１８、コリメータレンズ１９、リングレンズ２０、撮像素子２２は、ディスプレイ３１を駆動させる駆動機構３９により光軸Ｌ１の方向に一体的に移動される。すなわち、ディスプレイ３１、投影光学系１０ａの光源１１と、受光光学系１０ｂの受光絞り１８、コリメータレンズ１９、リングレンズ２０、撮像素子２２は、駆動ユニット９５として同期して一体的移動する。もちろん、別途、それぞれが駆動される構成としてもよい。
例えば、駆動ユニット９５は、外側のリング光束が各経線方向に関して撮像素子２２上に入射されるように他覚式測定光学系１０の一部を光軸方向に移動させる。すなわち、他覚式測定光学系１０の一部を被検眼の球面屈折誤差（球面屈折力）に応じて光軸Ｌ１方向に移動させることで、球面屈折誤差を補正し、被検眼眼底に対して光源１１、受光絞り１８及び撮像素子２２が光学的に共役になるようにする。駆動機構３９の移動位置は、図示無きポテンショメータにより検出される。なお、ホールミラー１３とリングレンズ２０は、可動ユニット２５の移動量に拘わらず、被検眼の瞳と一定の倍率で共役になるように配置されている。
【０１０２】
上記構成において、光源１１から出射された測定光は、リレーレンズ１２、ホールミラー１３、プリズム１５、ダイクロイックミラー３５、ビームスプリッタ２９、対物レンズ１４、を経て、被検眼の眼底上にスポット状の点光源像を形成する。このとき、光軸周りに回転するプリズム１５により、ホールミラー１３のホール部の瞳投影像（瞳上での投影光束）は、高速に偏心回転される。眼底に投影された点光源像は反射・散乱されて被検眼を射出し、対物レンズ１４によって集光され、ビームスプリッタ２９、ダイクロイックミラー３５、高速回転するプリズム１５、ホールミラー１３、リレーレンズ１６、ミラー１７を介して受光絞り１８の位置に再び集光され、コリメータレンズ１９とリングレンズ２０とによって撮像素子２２にリング状の像が結像する。
【０１０３】
例えば、プリズム１５は、投影光学系１０ａと受光光学系１０ｂと共通光路に配置されている。このため、眼底からの反射光束は、投影光学系１０ａと同じプリズム１５を通過するため、それ以降の光学系ではあたかも瞳孔上における投影光束・反射光束（受光光束）の偏心が無かったかのように逆走査される。
【０１０４】
例えば、補正光学系９０は、自覚式測定光学系２５と兼用される。もちろん、別途、他覚式測定光学系１０で用いる補正光学系を設ける構成としてもよい。
【０１０５】
＜第１指標投影光学系及び第２指標投影光学系＞
本実施形態において、第１指標投影光学系４５及び第２指標投影光学系４６は、補正光学系９０と、偏向ミラー８１との間に配置される。もちろん、第１指標投影光学系４５及び第２指標投影光学系４６の配置位置は、これに限定されない。
【０１０６】
第１指標投影光学系４５は、光軸Ｌ３を中心として同心円上に４５度間隔で赤外光源が複数個配置されており、光軸Ｌ３を通る垂直平面を挟んで左右対称に配置されている。第１指標投影光学系４５は、被検眼の角膜にアライメント指標を投影するための近赤外光を発する。第２指標投影光学系４６は、第１指標投影光学系４５とは異なる位置に配置され６つの赤外光源を備える。この場合、第１指標投影光学系４５は、被検者眼Ｅの角膜に無限遠の指標を左右方向から投影し、第２指標投影光学系４６は被検者眼Ｅの角膜に有限遠の指標を上下方向もしくは斜め方向から投影する構成となっている。なお、図２の本図には、便宜上、第１指標投影光学系４５と、第２指標投影光学系４６の一部のみが図示されている。なお、第２指標投影光学系４６は、被検眼の前眼部を照明する前眼部照明としても用いられる。また、角膜形状測定用の指標としても利用できる。また、第１指標投影光学系４５及び第２指標投影光学系４６は、点状光源に限定されない。例えば、リング状光源、ライン状の光源、であってもよい。
【０１０７】
＜観察光学系＞
観察光学系（撮像光学系）５０は、自覚式測定光学系２５及び他覚式測定光学系１０における、対物レンズ１４、ダイクロイックミラー２９が共用され、撮像レンズ５１、及び二次元撮像素子５２を備える。例えば、撮像素子５２は、被検眼前眼部と略共役な位置に配置された撮像面を持つ。例えば、撮像素子５２からの出力は、制御部７０に入力される。これにより、被検眼の前眼部像は二次元撮像素子５２により撮像され、モニタ４上に表示される。なお、この観察光学系５０は、第１指標投影光学系４５及び第２指標投影光学系４６によって、被検眼の角膜に形成されるアライメント指標像を検出する光学系を兼ね、制御部７０によりアライメント指標像の位置が検出される。
【０１０８】
＜自覚式検眼装置内部構成＞
以下、自覚式検眼装置１の内部構成について説明する。図３は、本実施例に係る自覚式検眼装置１の内部を正面方向（図１のＡ方向）から見た概略構成図である。図４は、本実施例に係る自覚式検眼装置１の内部を側面方向（図１のＢ方向）から見た概略構成図である。図５は、本実施例に係る自覚式検眼装置１の内部を上面方向（図１のＣ方向）から見た概略構成図である。なお、図３では、説明の便宜上、ハーフミラー８４の反射を示す光軸について省略している。なお、図４では、説明の便宜上、左眼用測定手段７Ｌの光軸のみを示している。なお、図５では、説明の便宜上、左眼用測定手段７Ｌの光軸のみを示している。  
【０１０９】
例えば、自覚式検眼装置１は、自覚式測定手段と、他覚式測定手段と、を備える。例えば、自覚式測定手段は、測定手段７、偏向ミラー８１、駆動手段８３、駆動手段８２、ハーフミラー８４、凹面ミラー８５、で構成される。もちろん、自覚式測定手段は、この構成に限定されない。例えば、他覚式測定手段は、測定手段７、偏向ミラー８１、ハーフミラー８４、凹面ミラー８５、で構成される。もちろん、他覚式測定手段は、この構成に限定されない。
【０１１０】
なお、自覚式検眼装置１は、右眼用駆動手段９Ｒ、左眼用駆動手段９Ｌを有し、右眼用測定手段７Ｒ及び左眼用測定手段７ＬをそれぞれＸ方向に移動できる。例えば、右眼用測定手段７Ｒ及び左眼用測定手段７Ｌが移動されることによって、偏向ミラー８１と測定手段７との間の距離が変更され、Ｚ方向における視標光束の呈示位置が変更される。これによって、矯正光学系６０によって矯正された視標光束を被検眼に導光し、矯正光学系６０によって矯正された視標光束の像が被検眼の眼底に形成されるようにＺ方向における調整することができる。
【０１１１】
例えば、偏向ミラー８１は、左右一対にそれぞれ設けられた右眼用の偏向ミラー８１Ｒ、左眼用の偏向ミラー８１Ｌを有する。例えば、偏向ミラー８１は、矯正光学系６０と、被検眼と間に配置される。すなわち、矯正光学系６０は、左右一対に設けられた右眼用矯正光学系と左眼用矯正光学系を有しており、右眼用の偏向ミラー８１Ｒは、右眼用矯正光学系と右眼ＥＲの間に配置され、左眼用の偏向ミラー８１Ｌは、左眼用矯正光学系と左眼ＥＲの間に配置される。例えば、偏向ミラー８１は、瞳共役位置に配置されることが好ましい。
【０１１２】
例えば、右眼用の偏向ミラー８１Ｒは、右眼用測定手段７Ｒから投影される光束を反射し、右眼ＥＲに導光する。また、例えば、右眼ＥＲで反射された反射光を反射し、右眼用測定手段７Ｒに導光する。例えば、左眼用の偏向ミラー８１Ｌは、左眼用測定手段７Ｌから投影される光束を反射し、左眼ＥＬに導光する。また、例えば、左眼ＥＬで反射された反射光を反射し、左眼用測定手段７Ｌに導光する。なお、本実施形態においては、測定手段７から投影される光束を反射し、被検眼Ｅに導光する偏向部材として、偏向ミラー８１を用いる構成を例に挙げて説明しているがこれに限定されない。測定手段７から投影される光束を反射し、被検眼Ｅに導光する偏向部材であればよい。例えば、偏向部材としては、プリズム、レンズ等が挙げられる。
【０１１３】
例えば、駆動手段８３は、モータ（駆動部）等からなる。例えば、駆動手段８３は、右眼用の偏向ミラー８１Ｒを駆動するための駆動手段８３Ｒ、左眼用の偏向ミラー８１Ｌを駆動するための駆動手段８３Ｌを有する。例えば、駆動手段８３の駆動によって、偏向ミラー８１は、Ｘ方向に移動できる。例えば、右眼用の偏向ミラー８１Ｒ及び左眼用の偏向ミラー８１Ｌが移動されることによって、右眼用の偏向ミラー８１Ｒ及び左眼用の偏向ミラー８１Ｌとの間の距離が変更され、被検眼の瞳孔間距離にあわせて右眼用光路と左眼用光路との間のＸ方向における距離を変更することができる。
【０１１４】
例えば、駆動手段８２は、モータ（駆動部）等からなる。例えば、駆動手段８２は、右眼用の偏向ミラー８１Ｒを駆動するための駆動手段８２Ｒ、左眼用の偏向ミラー８１Ｌを駆動するための駆動手段８２Ｌを有する。例えば、駆動手段８２の駆動によって、偏向ミラー８１は、回転移動する。例えば、駆動手段８２は、水平方向（Ｘ方向）の回転軸、及び鉛直方向（Ｙ方向）の回転軸に対して偏向ミラー８１を回転させる。すなわち、駆動手段８２は偏向ミラー８１をＸＹ方向に回転させる。なお、偏向ミラー８１の回転は、水平方向又は鉛直方向の一方であってもよい。なお、右眼用光路と左眼用光路とでそれぞれ、偏向ミラーが複数設けられた構成であってもよい。例えば、右眼用光路と左眼用光路とで、２つの偏向ミラーがそれぞれ設けられる（例えば、右眼用光路で２つの偏向ミラー等）構成が挙げられる。この場合、一方の偏向ミラーがＸ方向に回転され、他方の偏向ミラーがＹ方向に回転されてもよい。例えば、偏向ミラー８１が回転移動されることによって、矯正光学系６０の像を被検眼の眼前に形成されるためのみかけの光束を偏向させることにより像の形成位置を光学的に補正することができる。
【０１１５】
例えば、凹面ミラー８５は、右眼用測定手段７Ｒと左眼用測定手段７Ｌとで共有される。例えば、凹面ミラー８５は、右眼用矯正光学系を含む右眼用光路と、左眼用矯正光学系を含む左眼用光路と、で共有される。すなわち、凹面ミラー８５は、右眼用矯正光学系を含む右眼用光路と、左眼用矯正光学系を含む左眼用光路と、共に通過する位置に配置されている。もちろん、凹面ミラー８５は、共有される構成でなくてもよい。右眼用矯正光学系を含む右眼用光路と、左眼用矯正光学系を含む左眼用光路と、でそれぞれ凹面ミラーが設けられる構成であってもよい。例えば、凹面ミラー８５は、矯正光学系を通過した視標光束を被検眼に導光し、矯正光学系を通過した視標光束の像を被検眼の眼前に形成する。なお、本実施形態においては、凹面ミラー８５を用いる構成を例に挙げているがこれに限定されない。種々の光学部材を用いることができる。例えば、光学部材としては、レンズ、平面ミラー等を用いることができる。
【０１１６】
例えば、凹面ミラー８５は、自覚式測定手段と、他覚式測定手段と、で兼用される。例えば、自覚測定光学系２５から投影された視標光束は、凹面ミラー８５を介して、被検眼に投影される。また、例えば、他覚測定光学系１０から投影された測定光は、凹面ミラー８５を介して、被検眼に投影される。また、例えば、他覚測定光学系１０から投影された測定光の反射光は、凹面ミラー８５を介して、他覚測定光学系１０の受光光学系１０ｂに導光される。なお、本実施形態においては、他覚測定光学系１０による測定光の反射光は、凹面ミラー８５を介して、他覚測定光学系１０の受光光学系１０ｂに導光される構成を例に挙げているがこれに限定されない。他覚測定光学系１０による測定光の反射光は、凹面ミラー８５を介さない構成であってもよい。
【０１１７】
より詳細には、例えば、本実施形態において、自覚式測定手段における、凹面ミラー８５から被検眼Ｅまでの間の光軸と、他覚式測定手段における、凹面ミラー８５から被検眼Ｅまでの間の光軸と、が少なくとも同軸で構成されている。なお、本実施形態においては、ダイクロイックミラー３５によって、自覚式測定光学系２５の光軸Ｌ２と他覚式測定光学系１０の光軸Ｌ１とが合成され、同軸となっている。
【０１１８】
以下、自覚測定手段の光路について説明する。例えば、自覚測定手段は、矯正光学系６０を通過した視標光束を凹面ミラー８５によって、被検眼方向に反射することで被検眼に視標光束を導光し、矯正光学系６０を通過した視標光束の像を光学的に所定の検査距離となるように被検眼の眼前に形成する。すなわち、凹面ミラー８５は、視標光束を略平行光束にするように反射する。このため、被検者から見た視標像は、被検眼Ｅからディスプレイ３１までの実際の距離よりも遠方にあるように見える。すなわち、凹面ミラー８５を用いることで、所定の検査距離の位置に視標光束の像が見えるように、被検者に視標像を呈示することができる。
【０１１９】
より詳細に説明する。なお、以下の説明においては、左眼用光路を例に挙げて説明する。右眼用光路においても、左眼用光路と同様の構成となっている。例えば、左眼用の自覚測定手段において、左眼用測定手段７Ｌのディスプレイ１３から投影された視標光束は、投光レンズ３３を介して、乱視矯正光学系６３に入射する。乱視矯正光学系６３を通過した視標光束は、反射ミラー３６、ダイクロイックミラー３５、ダイクロイックミラー２９、対物レンズ１４を経由して、補正光学系９０に入射される。補正光学系９０を通過した視標光束は、左眼用測定手段７Ｌから左眼用の偏向ミラー８１Ｌに向けて投影される。左眼用測定手段７Ｌから出射されて左眼用の偏向ミラー８１で反射された視標光束は、ハーフミラー８４によって凹面ミラー８５に向けて反射される。凹面ミラーによって反射された視標光束は、ハーフミラー８４を透過して、左眼ＥＬに到達する。
【０１２０】
これによって、左眼ＥＬの眼鏡装用位置（例えば、角膜頂点から１２ｍｍ程度）を基準として矯正光学系６０によって矯正された視標像が左眼ＥＬの眼底上に形成される。従って、乱視矯正光学系６３があたかも眼前に配置されたこと、及び、球面度数の矯正光学系（本実施形態においては、駆動機構３９の駆動）による球面度数の調整が眼前で行われたこと、と等価になっており、被検者は凹面ミラー８５を介して自然の状態で視標の像を視準することができる。なお、本実施形態においては、右眼用光路においても、左眼用光路と同様の構成であり、両被検眼ＥＲ，ＥＬの眼鏡装用位置（例えば、角膜頂点から１２ｍｍ程度）を基準として、左右一対の矯正光学系６０によって矯正された視標像が両被検眼の眼底上に形成されるようになっている。このようにして、被検者は自然視の状態で視標を直視しつつ検者に対する応答を行い、検査視標が適正に見えるまで矯正光学系６０による矯正を図り、その矯正値に基づいて自覚的に被検眼の光学特性の測定を行う。
【０１２１】
次いで、他覚測定手段の光路について説明する。なお、以下の説明においては、左眼用光路を例に挙げて説明する。右眼用光路においても、左眼用光路と同様の構成となっている。例えば、左眼用の他覚測定手段において、他覚式測定光学系１０における投影光学系１０ａの光源１１から出射された測定光は、リレーレンズ１２から対物レンズ１４までを介して、補正光学系９０に入射される。補正光学系９０を通過した測定光は、左眼用測定手段７Ｌから左眼用の偏向ミラー８１Ｌに向けて投影される。左眼用測定手段７Ｌから出射されて左眼用の偏向ミラー８１で反射された測定光は、ハーフミラー８４によって凹面ミラー８５に向けて反射される。凹面ミラーによって反射された測定光は、ハーフミラー８４を透過して、左眼ＥＬに到達し、左眼ＥＬの眼底上にスポット状の点光源像を形成する。このとき、光軸周りに回転するプリズム１５により、ホールミラー１３のホール部の瞳投影像（瞳上での投影光束）は、高速に偏心回転される。
【０１２２】
左眼ＥＬの眼底上に形成された点光源像の光は、反射・散乱されて被検眼Ｅを射出し、測定光が通過した光路を経由して対物レンズ１４によって集光され、ダイクロイックミラー２９、ダイクロイックミラー３５、プリズム１５、ホールミラー１３、リレーレンズ１６、ミラー１７までを介する。ミラー１７までを介した反射光は、受光絞り１８の開口上で再び集光され、コリメータレンズ１９にて略平行光束（正視眼の場合）とされ、リングレンズ２０によってリング状光束として取り出され、リング像として撮像素子２２に受光される。受光したリング像を解析することによって、他覚的に被検眼の光学特性を測定することができる。
【０１２３】
＜制御部＞
例えば、制御部７０は、ＣＰＵ（プロセッサ）、ＲＡＭ、ＲＯＭ等を備える。例えば、制御部７０のＣＰＵは、自覚式検眼装置１の各部材の制御を司る。例えば、ＲＡＭは、各種情報を一時的に記憶する。制御部７０のＲＯＭには、自覚式検眼装置１の動作を制御するための各種プログラム、各種検査のための視標データ、初期値等が記憶されている。なお、制御部７０は、複数の制御部（つまり、複数のプロセッサ）によって構成されてもよい。
【０１２４】
例えば、制御部７０には、不揮発性メモリ（記憶部）７２、及びモニタ（本実施形態においては、操作部を兼ねる）４、各種部材等が電気的に接続されている。不揮発性メモリ（以下、メモリと記載）７２は、電源の供給が遮断されても記憶内容を保持できる非一過性の記憶媒体である。例えば、ハードディスクドライブ、フラッシュＲＯＭ、ＯＣＴデバイス１、及び、自覚式検眼装置１に着脱可能に装着されるＵＳＢメモリ等を不揮発性メモリ７２として使用することができる。例えば、メモリ７２には、自覚式測定手段及び他覚式測定手段を制御するための制御プログラムが記憶されている。
【０１２５】
＜制御動作＞
以下、自覚式検眼装置１の制御動作について説明する。図６は、本実施例における制御動作の流れについて説明するフローチャートである。検者は、顎台５に被検者の顎を当てさせ、呈示窓３を観察するように指示する。検者は、被検者にディスプレイ３１に表示された固視標を固視するよう指示した後、被検眼に対するアライメントを行う。
【０１２６】
＜アライメント動作（Ｓ１）＞
検者によって、アライメント開始スイッチが選択されると、制御部７０は、自動アライメント（Ｓ１）を開始する。なお、本実施例においては、遠用時における被検眼の光学特性を測定する場合を例に挙げて説明する。近用時においても遠用時と同様にして被検眼の光学特性を測定することができる。
【０１２７】
例えば、制御部７０は、撮像光学系１００によって撮像された顔画像から左右の被検眼の瞳孔位置を検出する。例えば、瞳孔位置が検出されると、制御部７０は、前眼部像がモニタ４に表示されるように自覚式検眼装置１を制御する。例えば、制御部７０は、右眼用の偏向ミラー８１Ｒ，左眼用の偏向ミラー８１Ｌ、それぞれ駆動させ、ＸＹ方向に回転させる。また、例えば、瞳孔位置が検出されると、制御部７０は、右眼用測定手段７Ｒ及び左眼用測定手段７ＬをそれぞれＸ方向に移動できる。すなわち、制御部７０は、偏向ミラー８１を駆動させることよってＸＹ方向のアライメントを行い、測定手段７を駆動させることによってＺ方向のアライメントを行う。
【０１２８】
なお、本実施形態においては、偏向ミラー８１と、測定手段７と、の駆動によってＸＹＺ方向のアライメントを調整する構成を例に挙げて説明しているがこれに限定されない。被検眼と、自覚式測定手段及び他覚式測定手段と、の位置関係を調整できる構成であればよい。すなわち、矯正光学系６０によって矯正された像が被検眼の眼底上に形成されるようにＸＹＺ方向を調整できる構成であればよい。例えば、顎台６に対して、自覚式検眼装置１をＸＹＺ方向に移動可能な構成を設けて、自覚式検眼装置１を移動させる構成であってもよい。また、例えば、偏向ミラー８１と測定ユニットを一体的にＸＹＺ方向に移動可能な構成として、ＸＹＺ方向の調整を行える構成としてもよい。また、例えば、偏向ミラー８１のみによってＸＹＺ方向の調整を行える構成としてもよい。この場合、例えば、偏向ミラー８１は、回転駆動するとともに、測定ユニットとの間の距離が変更するように、偏向ミラー８１がＺ方向移動する構成が挙げられる。なお、例えば、アライメント制御においては、両被検眼がモニタ４上に表示され、同一画面上で、両被検眼のアライメント制御が行われてもよい。また、例えば、アライメント制御においては、モニタ４上に一方の被検眼が表示され、一方の被検眼のアライメント制御が完了した後、他方の被検眼がモニタ４上に表示され、他方の被検眼のアライメント制御が行われるようにしてもよい。また、例えば、一方の被検眼のアライメント制御結果に基づいて、他方の被検眼のアライメント制御が行われる構成としてもよい。
【０１２９】
例えば、制御部７０は、被検眼に対する矯正光学系６０の像の位置ずれを検出する。例えば、制御部７０は、検出された検出結果に基づいて、駆動手段を制御し、矯正光学系６０の像を被検眼に導光するためのみかけの光束を偏向させることにより像の形成位置を光学的に補正する。このように、本実施形態における自覚式検眼装置１は、被検眼と矯正光学系との位置ずれを検出し、像の形成位置を光学的に補正する構成を備える。これによって、被検眼と矯正光学系との位置ずれを補正することによって、適正な位置で装置の使用が可能となり、精度よく測定を行うことができる。
【０１３０】
＜他覚式測定（Ｓ２）＞
制御部７０は、アライメント完了信号の出力に基づいて、他覚式測定（他覚測定）（Ｓ２）を開始するための他覚測定開始トリガ信号（以下、トリガ信号と記載）が発する。他覚測定を開始するためのトリガ信号が発せられると、制御部７０は、他覚式測定光学系１０から測定光束を出射する。この場合、各測定光束は、偏向ミラー８１Ｒ、８１Ｌを介して凹面ミラー８５によって反射された後、被検眼の眼底に投影される。眼底から反射された測定光は、凹面ミラー８５を介して、偏向ミラー８１Ｒ（８１Ｌ）によって反射された後、撮像素子２２によって測定画像が撮像される。
【０１３１】
例えば、他覚眼屈折力の測定においては、はじめに眼屈折力の予備測定が行われ、予備測定の結果に基づいてディスプレイ３１が光軸Ｌ２方向に移動されることにより、被検眼Ｅに対して雲霧がかけられてもよい。すなわち、ディスプレイ３１が被検眼Ｅに対して、一度ピントが合う位置に移動されてもよい。その後、雲霧がかけられた被検眼に対して眼屈折力の本測定が行われてもよい。本測定では、測定画像は撮像素子２２に撮像され、撮像素子２２からの出力信号は、メモリ７２に画像データ（測定画像）として記憶される。その後、制御部７０は、メモリ７２に記憶されたリング像を画像解析して各経線方向の屈折力の値を求める。制御部７０は、この屈折力に所定の処理を施すことによって遠用時での被検者眼のＳ（球面度数）、Ｃ（乱視度数）、Ａ（乱視軸角度）の他覚眼屈折力（他覚値）を得る。得られた遠用時での他覚値はメモリ７２に記憶される。
【０１３２】
上記他覚眼屈折力の測定において、制御部７０は、補正光学系９０を制御し、他覚式測定光学系１０の光路にて生じる光学収差を補正してもよい。この場合、他覚式測定光学系１０によって測定された屈折度数に応じた補正量をメモリ７２から取得し、取得された収差補正量に基づいて補正光学系９０を制御する。
【０１３３】
より具体的には、予備測定で得られた眼屈折力に応じて補正量が設定され、設定された補正量に基づいて補正光学系９０が駆動される。これによって、本測定は、他覚式測定光学系１０の光路にて生じる収差が補正された状態において本測定が行われるので、他覚眼屈折力を精度よく測定できる。なお、眼屈折力を連続的に測定する場合（例えば、本測定を複数行う）、各測定結果に基づいて補正光学系９０が制御されてもよい。
【０１３４】
なお、上記説明においては、遠用での他覚眼屈折力が測定されたが、これに限定されず、近用距離にて視標が呈示された状態での眼屈折力である近用での他覚眼屈折力が測定されてもよい。なお、他覚眼屈折力測定は、左右眼同時に実行されてもよいし、左右眼別々のタイミングにて実施されてもよい。
【０１３５】
＜自覚式測定（Ｓ３）＞
次いで、自覚式測定（Ｓ３）が行われる。他覚屈折力測定が完了し、モニタ（本実施形態においては、操作部を兼ねる）４が操作されると、自覚の遠用視力測定モード（自覚屈折力測定）モードに切り換えられる。
【０１３６】
例えば、制御部７０は、ディスプレイ３１を制御し、光軸Ｌ２上に所要の視力値視標を表示してもよい（例えば、視力値０．８の視標）。被検眼に初期呈示視標が呈示されたら、検者は、被検者の遠用視力測定を行う。モニタ４の所定のスイッチが押されると、呈示される視力値視標が切換えられる。
【０１３７】
例えば、検者は、被検者の回答が正答の場合には、１段階高い視力値の視標に切換える。一方、被検者の回答が誤答の場合には１段階低い視力値の視標に切換える。つまり、制御部７０は、モニタ４からの視力値変更の信号に基づいて視標を切換えてもよい。
【０１３８】
また、検者は、モニタ４を用いて、矯正光学系６０の矯正度数を変更し、被検眼の遠用自覚値（球面度数Ｓ、乱視度数Ｃ、乱視軸角度Ａ）を求めてもよい。
【０１３９】
なお、矯正光学系６０の矯正度数は、左右眼別々の度数に設定されてもよいし、左右眼での同一の度数に設定されてもよい。なお、自覚眼屈折力測定は、左右眼同時に実行されてもよいし、左右眼別々のタイミングにて実施されてもよい。なお、別々のタイミングの場合、非測定眼のディスプレイ３１に視標を表示しないようにしてもよいし、矯正光学系６０によってフォグ（例えば、他覚値に対して一定の屈折度数が付加される）が行われてもよい。
【０１４０】
遠用での自覚値が求められた後、自覚の近用視力測定モードに切り換えられてもよい。近用測定モードに設定されると、制御部７０は、投光光学系３０を制御し、偏向ミラー８１による輻輳角を変更し、近用位置に視標を呈示してもよい。なお、近用検査での視標の呈示距離は、操作部４からの操作信号に基づいて任意に変更されてもよい。その結果、視標の呈示距離が遠用位置から近用位置に変更される。なお、近用検査においては、近用位置において視標の呈示距離を変更することによって、加入度・調節力を自覚的に求めるようにしてもよい。
【０１４１】
この場合、例えば、制御部７０は、視標の呈示距離に応じた収差補正量をメモリ７２から取得し、取得された収差補正量に基づいて補正光学系９０を制御してもよい。また、視標の呈示距離が変更される場合、制御部７０は、変更される視標呈示距離に応じて、補正光学系９０による収差補正量を変更してもよい。これによって、視標呈示距離に変更があった場合であっても、収差が軽減された視標が呈示される。この場合、制御部７０は、視標の呈示距離が付加された矯正度数に応じて収差補正量を変化させてもよい。
【０１４２】
さらに、制御部７０は、視標の呈示位置の変更に応じて、光偏向部材を制御し、左右の視標光束の輻輳角度を変更してもよい。この場合、例えば、制御部７０は、輻輳角度に対応する光偏向部材の偏向角度に応じた収差補正量をメモリ７２から取得し、取得された収差補正量に基づいて補正光学系９０を制御してもよい。また、視標光束の輻輳角度が変更される場合、制御部７０は、変更される輻輳角度に応じて、補正光学系９０による収差補正量を変更してもよい。これによって、輻輳角度に変更があった場合であっても、収差が軽減された視標が呈示される。
【０１４３】
近用検査においては、遠用検査と同様、例えば、検者は、操作部４の所定のスイッチを用いて矯正光学系６０の矯正度数を変更し、近用視標が呈示された状態での自覚的眼屈折力（近用自覚値）を測定してもよい。近用検査において、制御部７０は、矯正度数の変更に応じて補正光学系９０の収差補正量を変更してもよい。
【０１４４】
＜調節情報の取得（Ｓ５）＞
ここで、本実施例において、自覚式検眼装置１は、自覚式測定を実施している間に他覚式測定を行い、被検眼の光学特性の変化を捉える構成を備える。例えば、本実施例においては、自覚式測定を実施している間に他覚式測定手段によって測定された被検眼の光学特性に基づいて調節情報を取得する。例えば、調節情報は、自覚式測定を実施している間の被検眼の光学特性の変化を捉えるために用いることができる。
【０１４５】
以下、調節情報の取得（Ｓ５）について説明する。例えば、本実施例において、制御部７０は、自覚式測定手段によって被検眼の光学特性を自覚的に測定している（Ｓ３）間に、他覚式測定手段によって被検眼の光学特性を他覚的に測定する。
【０１４６】
より詳細には、例えば、本実施例において、制御部７０は、他覚式測定手段によって被検眼の光学特性を他覚的に測定して第１光学特性を取得する。例えば、制御部７０は、自覚式測定手段によって被検眼の光学特性を自覚的に測定している間に、他覚式測定手段によって被検眼の光学特性を他覚的に測定して第２光学特性を取得する。なお、他覚式測定手段によって測定された光学特性はメモリ７２に記憶されてもよい。
【０１４７】
例えば、本実施例においては、第１光学特性は、自覚式測定手段によって被検眼の光学特性を自覚的に測定する以前に、他覚式測定手段によって被検眼の光学特性を他覚的に測定し、第１光学特性を取得する。例えば、本実施例において、自覚式測定の前に行われた他覚式測定（Ｓ２）によって取得された光学特性が第１光学特性（例えば、球面度数、乱視度数、乱視軸角度）として用いられる。もちろん、第１光学特性としては、自覚式測定手段によって被検眼の光学特性を自覚的に測定する以前に、別途、他覚式測定手段によって取得される構成であってもよい。
【０１４８】
例えば、制御部７０は、第２光学特性は、自覚式測定を開始した後、予め設定された時間が経過した際（例えば、自覚式測定の開始から１分後等）に、測定するようにしてもよい。なお、第２光学特性が取得されるタイミングとして設定された時間が経過した際に第２光学特性が取得される構成に限定されない。第２光学特性は、種々の構成をトリガとして、取得することができる。例えば、第２光学特性が取得されるタイミングとしては、自覚的な測定の開始時（例えば、視標光束の投影する開始した状態、検査プログラムを開始した状態、自覚式検査装置の操作部の操作を開始した状態、矯正光学系の駆動を開始した状態等）、検査視標の切り換え時、自覚検査と自覚検査との間（複数の自覚検査を行う場合）等の少なくともいずれかであってもよい。もちろん、上記記載以外のタイミングで、他覚測定開始のトリガ信号が出力されるようにしてもよい。
【０１４９】
なお、自覚式測定手段によって被検眼の光学特性を自覚的に測定している間に、複数の光学特性が取得されるようにしてもよい。この場合、例えば、制御部７０は、自覚式測定を開始した後、予め設定された時間が経過した際に、第２光学特性が取得され、その後、予め設定された時間が経過するたび、光学特性（例えば、第３光学特性、第４光学特性等）が取得されるようにしてもよい。
【０１５０】
例えば、制御部７０は、第１光学特性及び第２光学特性に基づく調節情報を取得する。例えば、本実施例において、制御部７０は、第１光学特性と、第２光学特性と、を差分処理することによって、調節情報を取得する。なお、以下の説明においては、第１光学特性及び第２光学特性として、眼屈折力の球面度数を用いる場合を例に挙げて説明する。なお、本実施例においては、第１光学特性及び第２光学特性として、眼屈折力における球面度数について説明をしたがこれに限定されない。例えば、第１光学特性及び第２光学特性としては、眼屈折力に限定されない。また、例えば、眼屈折力としては、球面度数、乱視度数、及び乱視軸角度の少なくともいずれかを用いるようにしてもよい。
【０１５１】
より詳細には、本実施例において、例えば、制御部７０は、自覚式測定手段によって被検眼の光学特性を自覚的に測定する以前に取得された第１眼屈折力と、自覚式測定手段によって被検眼の光学特性を自覚的に測定している間に取得された第２眼屈折力と、の差分から調節情報を取得する。例えば、第１眼屈折力の球面度数が１．０ディオプター（Ｄ）であり、第２眼屈折力の球面度数が３．０Ｄであった場合、制御部７０は、差分処理を行い、調節情報として球面度数２．０Ｄを取得する。
【０１５２】
このとき、例えば、制御部７０は、矯正光学系による矯正情報に基づいて、他覚式測定手段によって被検眼を他覚的に測定して得られた測定結果を補正するようにしてもよい。例えば、自覚式検眼装置が他覚的測定手段による測定光束が自覚的測定手段の矯正光学系を経由する構成である場合に、第１光学特性を取得した際の矯正光学系６０の矯正状態（光学部材の配置状態）と、第２光学特性を取得した際の矯正光学系６０の矯正状態とが異なることがある。このため、第１光学特性と第２光学特性を比較する際に、矯正光学系の矯正状態を考慮することなく、比較を行った場合には、調節情報として精度のよい結果を取得することが困難となる。
【０１５３】
以下の説明においては、矯正光学系による矯正情報に基づいて、第１光学特性及び第２光学特性を補正する場合を例に挙げて説明する。なお、本実施形態において、第１光学特性及び第２光学特性を矯正情報に基づいて補正する構成を例に挙げて説明するがこれに限定されない。例えば、調節情報を矯正情報に基づいて補正するようにしてもよい。
【０１５４】
例えば、本実施例において、制御部７０は、第１光学特性及び第２光学特性を矯正光学系による矯正情報に基づいて補正する。例えば、制御部７０は、補正に用いるための矯正情報を取得する。例えば、制御部７０は、第１光学特性を取得した際の矯正光学系による矯正情報（例えば、球面度数、円柱度数、円柱軸）をメモリ７２より呼び出す。また、例えば、制御部７０は、第２光学特性を取得した際の矯正光学系による矯正情報（例えば、球面度数、円柱度数、円柱軸）を呼び出す。なお、矯正光学系の矯正情報は、制御部７０が各光学特性の取得時における矯正光学系の矯正情報を各光学特性と関連付けて、メモリ７２に記憶させるようにすればよい。
【０１５５】
例えば、制御部７０は、第１光学特性取得時の第１矯正情報と第２光学特性取得時の第２矯正情報とをメモリ７２より呼び出す。例えば、制御部７０は、第１矯正情報に基づいて第１光学特性を補正し、第２矯正情報に基づいて第２光学特性を補正するようにしてもよい。例えば、第１矯正情報の球面度数が１．０Ｄ、第２矯正情報の球面度数が４．０Ｄ、第１光学特性の球面度数が１．０Ｄ、第２光学特性の球面度数が５．０Ｄであった場合に、矯正光学系の影響がない場合の第１光学特性の球面度数は０Ｄとなり、矯正光学系の影響がない場合の第２光学特性の球面度数は１．０Ｄとなる。このことから、矯正光学系の影響がない場合において、第１光学特性の球面度数と第２光学特性の球面度数を差分処理すると、調節情報としては、１．０Ｄとなる。すなわち、自覚式測定を実施の間に、１．０Ｄの球面度数の変化が生じたことがわかる。なお、上記構成においては、矯正情報について球面度数を例に挙げて説明をしたがこれに限定されない。例えば、矯正情報として、球面度数、乱視度数、及び乱視軸角度の少なくともいずれかを用いるようにしてもよい。
【０１５６】
なお、第１光学特性を取得する際に矯正光学系による駆動がされておらず（矯正がされておらず）、第２光学特性を取得する際にのみ矯正光学系による駆動が行われていた（矯正が行われていた）場合には、第２光学特性のみを第２矯正情報によって補正することで、矯正光学系を考慮した調節情報の取得が可能となる。もちろん、第２光学特性を取得する際に矯正光学系による駆動がされておらず（矯正がされておらず）、第１光学特性を取得する際にのみ矯正光学系による駆動が行われていた（矯正が行われていた）場合には、第１光学特性のみを第１矯正情報によって補正することで、矯正光学系を考慮した調節情報の取得が可能となる。
【０１５７】
なお、本実施形態においては、第１光学特性及び第２光学特性を矯正情報に基づいて補正する場合を例に挙げて説明したがこれに限定されない。例えば、調節情報を矯正情報に基づいて補正するようにしてもよい。この場合、例えば、制御部７０は、第１矯正情報と第２矯正情報とを差分処理して補正に用いるための矯正情報を取得する。例えば、第１矯正情報の球面度数が１．０Ｄ、第２矯正情報の球面度数が４．０Ｄ、第１光学特性の球面度数が１．０Ｄ、第２光学特性の球面度数が５．０Ｄであった場合に、補正に用いるために取得される矯正情報としては第１矯正情報と第２矯正情報の差分から３．０Ｄとなる。また、例えば、調節情報としては、第１光学特性と第２光学特性の差分から４．０Ｄとなる。このため、調節情報を矯正情報で補正することによって、矯正光学系の影響を考慮した調節情報としては、１．０Ｄとなる。
【０１５８】
上記のように、矯正情報に基づいて、被検眼を他覚的に測定して得られた測定結果を補正することで、他覚式測定を測定するための測定光束が矯正光学系を経由することによって生じる光学特性のずれを補正することができる。これによって、矯正光学系によって矯正が行われている場合に他覚的な測定を行った場合であっても、光学特性が精度よく取得できる。例えば、特に、他覚的な測定によって取得された少なくとも２つの光学特性に基づく調節情報を取得する際には、光学特性間でずれが生じることで比較することが困難となることがあるため、本技術がより効果的である。
【０１５９】
＜調節情報に基づく補正処理（Ｓ６）＞
例えば、調節情報が取得されると、制御部７０は、調節情報を出力する。本実施例において、例えば、制御部７０は、調節状態変化を補正するための補正量を設定する設定手段に調節情報を送信する。なお、本実施形態においては、制御部７０が設定手段を兼ねる。もちろん、制御部７０と異なる構成として、別途、設定手段（設定制御手段）が設けられる構成であってもよい。なお、本実施例においては、調節情報を出力する構成として、設定手段に調節情報を送信する構成を例に挙げて説明するがこれに限定されない。例えば、調節情報をモニタ４に表示するようにしてもよい。また、例えば、調節情報を印刷するようにしてもよい。この場合、検者は、モニタ４又は印刷物を確認することによって、調節状態を確認できる。
【０１６０】
例えば、本実施例においては、制御部７０は、自覚式測定手段によって被検眼の光学特性を自覚的に測定している間に生じる被検眼の調節状態変化を補正するための補正量を調節情報に基づいて、設定する。例えば、制御部７０は、矯正光学系６０を制御して、設定された補正量に基づいて、自覚式測定手段にて生じる被検眼の調節状態変化をキャンセルする補正を行う（Ｓ６）。なお、自覚式測定手段にて生じる被検眼の調節状態変化をキャンセルする補正を行うための構成としては、矯正光学系６０に限定されない。別途異なる補正用の光学系が設けられる構成であってもよい。
【０１６１】
例えば、制御部７０は、取得された調節状態に基づいて補正量を設定する。例えば、制御部７０は、矯正光学系を制御する。例えば、補正量は、調節情報のパラメータ毎に予め設定されたテーブルが作成されてもよく、作成されたテーブルは、メモリ（例えば、メモリ７２）に記憶されてもよい。この場合、例えば、制御部７０は、調節状態に対応する補正量をメモリ７２より呼び出し、設定するようにしてもよい。また、例えば、補正量は、調節情報のパラメータ毎の補正量を導出するための演算式がメモリ７２に記憶され、演算式を用いて補正量を求めてもよい。
【０１６２】
例えば、制御部７０は、自覚測定時における矯正光学系の矯正状態に対して、補正を行う。例えば、制御部７０は、補正量を付加する補正を行う。例えば、自覚式測定時における矯正光学系の球面度数が２．０Ｄであり、調節情報の球面度数が１．０であった場合に、補正量を１．０Ｄと設定する。例えば、制御部７０は、矯正光学系６０の球面度数を補正量１．０Ｄで補正する。すなわち、制御部７０は、矯正光学系６０を制御することによって、矯正光学系の球面度数を１．０Ｄとなるように補正する。
【０１６３】
なお、本実施例においては、調節情報に基づいて、被検眼の調節状態変化をキャンセルする補正を行う構成を例に挙げて説明したがこれに限定されない。例えば、調節情報に基づいて、調節情報の良否が判定され、判定結果がモニタ４又は印刷物に表示されるようにしてもよい。この場合、検者は、判定結果を確認し、判定結果に応じた処理を行うようにしてもよい。例えば、検者は、調節状態を改善するための動作を行ってもよい。
【０１６４】
以上のように、例えば、本実施例において、自覚式測定手段によって被検眼の光学特性を自覚的に測定している間に、他覚式測定手段によって被検眼の光学特性を他覚的に測定することによって、自覚式の測定の間における被検眼の光学特性の変化を確認することができる。これによって、検者は、自覚式の測定の間における被検眼の光学特性の変化を考慮して、自覚的な測定を行っていくことができる。このため、検者は、被検眼の光学特性を自覚的に測定する際に、被検眼の光学特性を精度よく測定することができる。
【０１６５】
また、例えば、本実施例において、他覚的に測定して第１光学特性を取得するとともに、被検眼の光学特性を自覚的に測定している間に、他覚的に測定した第２光学特性を取得する。取得した第１光学特性及び第２光学特性に基づく調節情報を取得し、調節情報を出力する。このような構成によって、自覚式の測定の間における被検眼の光学特性の変化が被検眼の第１光学特性及び第２光学特性に基づく調節情報から容易に取得することができる。このため、検者は、調節情報を用いることで、被検眼の光学特性を自覚的に測定する際に、被検眼の光学特性を容易に精度よく測定できる。
【０１６６】
また、例えば、本実施例において、自覚式測定手段によって被検眼の光学特性を自覚的に測定する以前に、他覚式測定手段によって被検眼の光学特性を他覚的に測定している。これによって、自覚式測定手段による自覚式の測定の前に、他覚式の測定が行われるため、自覚式測定手段を使用していることによって生じる光学特性の変化を抑制した状態で、他覚式の測定による光学特性を取得できる。このため、光学特性の変化が抑制された他覚式の測定による光学特性を取得することができ、より良好な調節情報を取得することができる。
【０１６７】
また、例えば、本実施例において、調節情報が比較処理によって取得されることによって、自覚式の測定の間における被検眼の光学特性の変化が、比較処理された調節情報から、より容易に取得できる。このため、検者は、調節情報を用いることで、被検眼の光学特性を自覚的に測定する際に、被検眼の光学特性をより容易に精度よく測定できる。
【０１６８】
また、例えば、本実施例において、被検眼の調節状態変化を補正するための補正量を調節情報に基づいて設定し、補正量に基づいて、自覚式測定手段にて生じる被検眼の調節状態変化をキャンセルする補正を行っている。これによって、自覚式測定手段によって被検眼の光学特性を自覚的に測定している間に、被検眼の光学特性の変化が生じた場合であっても、光学特性の変化をキャンセルした状態で測定を行うことができる。これによって、被検眼の光学特性を自覚的に測定する際に、被検眼の光学特性を容易に精度よく測定できる。
【０１６９】
＜初期値設定＞
例えば、本実施例において、自覚式検眼装置１は、自覚式測定手段によって被検眼の光学特性の自覚的な測定を開始した後に、他覚的な測定を行い、取得された測定結果を、自覚測定手段によって被検眼の光学特性を自覚的に測定する際の矯正光学系６０の初期値として設定するようにしてもよい。
【０１７０】
図７は、本実施例における初期値設定の制御動作の流れについて説明するフローチャートである。以下、初期値設定について説明する。例えば、制御部７０は、自覚式測定（Ｓ１１）を開始する。例えば、検者によってモニタ（本実施形態においては、操作部を兼ねる）４が操作されると、例えば、制御部７０は、ディスプレイ３１を制御し、光軸Ｌ２上に所要の視力値視標を表示する。
【０１７１】
例えば、制御部７０は、自覚式測定手段によって被検眼の光学特性の自覚的な測定を開始した後、他覚式測定手段によって被検眼の光学特性を他覚的に測定して被検眼の光学特性を取得する（Ｓ１２）。例えば、本実施例において、制御部７０は、ディスプレイ３１に初期呈示視標が呈示されたら、他覚式測定手段によって被検眼の光学特性を他覚的に測定して被検眼の光学特性を取得する。すなわち、本実施例において、自覚的な測定の開始のタイミングとして、初期呈示視標が呈示されたタイミングを用いている。もちろん、自覚的な測定開始のタイミングとしては、初期呈示視標が呈示されたタイミングに限定されない。
【０１７２】
例えば、自覚的な測定の開始のタイミングとしては、自覚的な測定の制御が開始されている状態であればよい。例えば、自覚的な測定の開始のタイミングとしては、検査プログラムを開始したタイミング、自覚式検査装置１のモニタ（本実施形態においては、操作部を兼ねる）４、矯正光学系６０の駆動を開始したタイミング等の少なくともいずれかであってもよい。
【０１７３】
例えば、制御部７０は、他覚的に測定された被検眼の光学特性を、自覚測定手段によって被検眼の光学特性を自覚的に測定する際の矯正光学系６０の初期値として設定する（Ｓ１３）。例えば、本実施例において、初期値設定に用いられる光学特性として、眼屈折力（例えば、球面度数、乱視度数、乱視軸角度）を例に挙げて説明する。なお、本実施例においては、初期値設定に用いられる光学特性として、眼屈折力を例に挙げて説明するがこれに限定されない。例えば、初期値設定に用いられる光学特性としては、異なる光学特性であってもよい。また、例えば、初期値設定に用いられる眼屈折力としては、球面度数、乱視度数、及び乱視軸角度の少なくともいずれかを用いるようにしてもよい。
【０１７４】
例えば、本実施例において、制御部７０は、他覚式測定手段によって他覚的に測定された被検眼の光学特性を、他覚式測定手段による他覚的な測定を開始する前に自覚式測定手段によって実施されていた被検眼の光学特性の自覚的な測定（Ｓ１１）における矯正光学系の初期値として設定する。なお、他覚測定手段によって、被検眼の光学特性を取得している間、自覚式測定が継続して実施されていてもよい。また、他覚測定手段によって、被検眼の光学特性を取得している間、自覚式測定が一時的に停止されてもよい。この場合、初期値が設定されるとともに、制御部７０は、自覚式測定を再開するようにしてもよい。また、この場合、初期値が設定された後、検者によって、自覚式測定を開始するスイッチが選択されることで、自覚式測定が再開されるようにしてもよい。
【０１７５】
例えば、制御部７０は、他覚測定手段によって、被検眼の眼屈折力を取得する。例えば、制御部７０は、被検眼の眼屈折力を取得すると、眼屈折力に基づいて矯正光学系６０を駆動し、自覚式検査の初期値として設定する。例えば、他覚測定手段によって、被検眼の眼屈折力に基づいて、被検眼の屈折誤差を矯正するように矯正光学系６０が制御される。
【０１７６】
例えば、矯正光学系６０が制御され、初期値の設定が完了すると、検者は、初期値の設定が完了した状態からモニタ４を用いて、矯正光学系６０の矯正度数を変更し、被検眼の自覚的な光学特性を求めていく（Ｓ１５）。すなわち、初期値の設定が完了した状態から自覚式測定が行われる。
【０１７７】
例えば、本実施例において、自覚式測定手段によって被検眼の光学特性の自覚的な測定を開始した後、他覚式測定手段によって被検眼の光学特性を他覚的に測定して被検眼の光学特性を取得する。他覚的に測定された被検眼の光学特性が、自覚測定手段によって被検眼の光学特性を自覚的に測定する際の矯正光学系の初期値として設定される。このような構成によって、他覚的な測定が完了するまで、自覚式検査装置による自覚的な測定の実施を待機する必要がなく、被検眼の光学特性を迅速に測定することができる。
【０１７８】
また、例えば、本実施例において、他覚式測定手段によって他覚的に測定された被検眼の光学特性を、他覚式測定手段による他覚的な測定を開始する前に自覚式測定手段によって実施されていた被検眼の光学特性の自覚的な測定における矯正光学系の初期値として設定する。このような構成によって、自覚式検査装置による自覚的な測定を迅速に行うことができる。
【０１７９】
なお、本実施例においては、他覚的に測定された被検眼の光学特性を、他覚式測定手段による他覚的な測定を開始する前に、自覚式測定手段によって実施されていた被検眼の光学特性の自覚的な測定における矯正光学系の初期値として設定する構成を例に挙げて説明したがこれに限定されない。例えば、制御部７０は、自覚式測定手段によって被検眼の光学特性を自覚的に測定する第１自覚式測定を実行した後、再度、自覚式測定手段によって被検眼の光学特性を自覚的に測定する第２自覚式測定を実行する。制御部７０は、第１自覚式測定を開始した後、他覚式測定手段によって被検眼の光学特性を他覚的に測定する。制御部７０は、他覚式測定手段によって他覚的に測定された被検眼の光学特性を、第２自覚式測定の初期値として設定する。なお、例えば、第１自覚式測定は、第２自覚式測定によって取得される光学特性とは異なる光学特性を取得する測定である。この場合、例えば、第１自覚式測定は、矯正光学系によって視標光束の光学特性を変化させない無矯正状態にて、被検眼の光学特性を自覚的に測定する自覚式測定であってもよい。すなわち、第１自覚式測定は、裸眼検査であってもよい。例えば、第２自覚式測定は、前記矯正光学系によって前記視標光束の光学特性を変化させて被検眼の光学特性を自覚的に測定する自覚式測定であってもよい。
【０１８０】
例えば、本実施例において、自覚式測定手段によって被検眼の光学特性を自覚的に測定する第１自覚式測定を実行した後、再度、自覚式測定手段によって被検眼の光学特性を自覚的に測定する第２自覚式測定を実行する。第１自覚式測定を開始した後、他覚式測定手段によって被検眼の光学特性を他覚的に測定し、他覚的に測定された被検眼の光学特性を、第２自覚式測定の初期値として設定する。このような構成によって、再度、自覚測定を行う場合であっても、異なる自覚測定時において既に初期値が取得されているため、迅速に測定を行うことができる。
【符号の説明】
【０１８１】
１  自覚式検眼装置
２  筐体
３  呈示窓
４  モニタ
５  顎台
６  基台
７  測定手段
１０  他覚式測定光学系
２５  自覚式測定光学系
３０  投光光学系
４５  第１指標投影光学系
４６  第２指標投影光学系
５０  観察光学系
６０  矯正光学系
７０  制御部
７２  メモリ
８１  偏向ミラー
８４  ハーフミラー
８５  凹面ミラー
９０  補正光学系
１００  撮像光学系
【図１】
2018038481.tif 000003
【図２】
2018038481.tif 000004
【図３】
2018038481.tif 000005
【図４】
2018038481.tif 000006
【図５】
2018038481.tif 000007
【図６】
2018038481.tif 000008
【図７】
2018038481.tif 000009